(57)【要約】【課題】本発明は、特定の悪臭低減材料を含む空気清浄組成物を提供することを課題とする。【解決手段】  本発明は、組成物全体の重量を基準として、  （ａ）総量の０．０００１％〜１００％、好ましくは、０．０００１％〜５０％、さらに好ましくは、０．０１％〜２５％、最も好ましくは、０．０７％〜１５％の１つ以上の悪臭低減材料、好ましくは、２０種類までの悪臭低減材料、さらに好ましくは、１５種類までの悪臭低減材料、最も好ましくは、１０種類までの悪臭低減材料、；および  （ｂ）任意選択的に、０．０１％〜９０％、好ましくは、１０％〜９０％、さらに好ましくは、２０％〜８０％、最も好ましくは、３０％〜７０％の少なくとも１つの溶媒、好ましくは、前記溶媒は、蒸気圧が０．０００６２５ｔｏｒｒ〜０．６２５ｔｏｒｒ、好ましくは、０．００６２５ｔｏｒｒ〜約０．４２５ｔｏｒｒ、さらに好ましくは、０．０６２５ｔｏｒｒ〜０．３２５ｔｏｒｒ、最も好ましくは、０．０８７５ｔｏｒｒ〜０．２２５ｔｏｒｒの有機材料を含む、少なくとも１つの溶媒；  （ｃ）任意選択的に、補助成分を含む、空気清浄組成物である。【選択図】なし【特許請求の範囲】
【請求項１】
空気清浄組成物であって、前記組成物は、組成物全体の重量を基準として、
（ａ）総量の０．０００１％〜１００％、好ましくは、０．０００１％〜５０％、さらに好ましくは、０．０１％〜２５％、最も好ましくは、０．０７％〜１５％の１つ以上の悪臭低減材料、好ましくは、２０種類までの悪臭低減材料、さらに好ましくは、１５種類までの悪臭低減材料、最も好ましくは、１０種類までの悪臭低減材料、
前記悪臭低減材料のそれぞれは、１，１−ジメトキシノナ−２−イン；２−（ｐ−トリル）プロパン−２−オール；３−メトキシ−７，７−ジメチル−１０−メチレンビシクロ［４．３．１］デカン；メトキシシクロドデカン；４−（ｔｅｒｔ−ペンチル）シクロヘキサン−１−オン；７−イソプロピル−８，８−ジメチル−６，１０−ジオキサスピロ［４．５］デカン；酢酸オクチル；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−オール；２−メチル−６−メチレンオクタ−７−エン−２−イルアセテート；（Ｅ）−２，６−ジメチルオクタ−５，７−ジエン−２−オール；ノナン−１−オール；ノナナール；２−メトキシナフタレン；（Ｚ）−３，７−ジメチルオクタ−２，６−ジエン−１−オール；１−エチル−３−メトキシトリシクロ［２．２．１．０２，６］ヘプタン；メチル（Ｅ）−ノナ−２−エノエート；６，６−ジメチルビシクロ［３．１．１］ヘプタ−２−エン−２−カルバルデヒド；メチルノナ−２−イノエート；２−メチルデカナール；６，６−ジメトキシ−２，５，５−トリメチルヘキサ−２−エン；４−フェニルブタン−２−オール；１，１−ジメトキシ−２−メチルウンデカン；ウンデカン−２−オン；２−メチルウンデカナール；（Ｚ）−１，２−ジメトキシ−４−（プロパ−１−エン−１−イル）ベンゼン；４−アリル−１，２−ジメトキシベンゼン；１−メチル−２−フェノキシベンゼン；ケイ皮酸メチル；１−アリル−４−メトキシベンゼン；メチルオクタ−２−イノエート；２，６，６−トリメチルシクロヘキサ−２−エン−１−カルボン酸メチル；７−メトキシ−３，７−ジメチルオクタナール；オクタヒドロ−１Ｈ−４，７−メタノインデン−１−カルバルデヒド；８−イソプロピル−６−メチルビシクロ［２．２．２］オクタ−５−エン−２−カルバルデヒド；（Ｓ）−１−メチル−４−（プロパ−１−エン−２−イル）シクロヘキサ−１−エン；（Ｚ）−３−ヘキセン−１−イル−２−シクロペンテン−１−オン；３，７−ジメチルオクタ−１，６−ジエン−３−イルイソブチレート；２−（５−メチル−５−ビニルテトラヒドロフラン−２−イル）プロパン−２−オール；３−（４−メチルシクロヘキサ−３−エン−１−イル）ブタナール；（Ｅ）−１−（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；ドデカナール；２−プロピルヘプタンニトリル；２−ヘキシルシクロペンタン−１−オン；２−メチル−４−フェニル−１，３−ジオキソラン；２，６，９，１０−テトラメチル−１−オキサスピロ（４．５）デカ−３，６−ジエン；（１Ｒ，２Ｓ，５Ｒ）−５−メチル−２−（プロパ−１−エン−２−イル）シクロヘキサン−１−オール；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；２，５，６−トリメチルシクロヘキサ−３−エン−１−カルバルデヒド；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチレート；（１Ｒ，４Ｓ）−１，７，７−トリメチルビシクロ［２．２．１］ヘプタン−２−イルアセテート；（Ｅ）−ノナ−２−エンニトリル；３−フェニルプロパン−１−オール；（１，１−ジメトキシプロパン−２−イル）ベンゼン；５−エチル−４−ヒドロキシ−２−メチルフラン−３（２Ｈ）−オン；ヘキサン酸ヘキシル；（Ｚ）−ヘキサ−１−エン−１−イル（Ｚ）−２−メチルブタ−２−エノエート；２−ブチル−４，４，６−トリメチル−１，３−ジオキサン；（１Ｒ，２Ｒ，３Ｒ，４Ｒ）−３−イソプロピルビシクロ［２．２．１］ヘプタ−５−エン−２−カルボン酸エチル；３ａ，４，５，６，７，７ａ−ヘキサヒドロ−１Ｈ−４，７−メタノインデン−６−イルアセテート；６−ブチル−２，４−ジメチル−３，６−ジヒドロ−２Ｈ−ピラン；２−エチル−６，６−ジメチルシクロヘキサ−２−エン−１−カルボン酸エチル；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，４ａＳ，８ａＳ）−１−イソプロピル−７−メチル−４−メチレン−１，２，３，４，４ａ，５，６，８ａ−オクタヒドロナフタレン；フラン−２−イルメチルヘキサノエート；２−メチルデカンニトリル；（３ａＲ，４Ｓ，７Ｒ，７ａＲ）−オクタヒドロ−３ａＨ−４，７−メタノインデン−３ａ−カルボン酸エチル；（Ｅ）−４，８−ジメチルデカ−４，９−ジエナール；２−ヘプチルシクロペンタン−１−オン；３−シクロヘキセン−１−カルボン酸，２，６，６−トリメチル−，メチルエステル；４−アリル−２−メトキシフェノール；ノナン酸エチル；ノナン−３−オン；デカン酸エチル；６，６−ジメチル−２−メチレンシクロヘキサ−３−エン−１−カルボン酸エチル；（２−（１−エトキシエトキシ）エチル）ベンゼン；１，１−ジメトキシドデカン；（Ｒ）−１−メチル−４−（プロパ−１−エン−２−イル）シクロヘキサ−１−エン；オキシジベンゼン；ジフェニルメタン；２，６−ジメチルオクタ−７−エン−４−オン；オクタヒドロ−１Ｈ−４，７−メタノインデン−５−イルアセテート；２−メチル−５−（プロパ−１−エン−２−イル）シクロヘキシルアセテート；２−メチル−５−（プロパ−１−エン−２−イル）シクロヘキサン−１−オール；３，７−ジメチルオクタ−６−エン−３−オール；ジブチルスルファン；（３Ｒ，４Ｒ）−１−イソプロピル−４−メチル−３−（プロパ−１−エン−２−イル）−４−ビニルシクロヘキサ−１−エン；（Ｚ）−１−（（１Ｒ，２Ｓ）−２，６，６−トリメチルシクロヘキサ−３−エン−１−イル）ブタ−２−エン−１−オン；３，７，７−トリメチルビシクロ［４．１．０］ヘプタ−３−エン；プロピオン酸デシル；１，１−ジエトキシデカン；デカヒドロナフタレン−２−オール；１−シクロヘキシルエチル（Ｅ）−ブタ−２−エノエート；（４−イソプロピルフェニル）メタノール；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−３，７−ジメチルオクタ−１，３，６−トリエン；（１Ｒ，４Ｒ，６Ｓ）−１−メチル−４−（プロパ−１−エン−２−イル）−７−オキサビシクロ［４．１．０］ヘプタン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−メチルブタノエート；（３Ｚ，６Ｚ）−ノナ−３，６−ジエン−１−オール；ギ酸シンナミル；（Ｅ）−３−フェニルプロパ−２−エン−１−オール；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；オクタンニトリル；オクタン−１−オール；オクタン酸；デカナール；３−（４−メトキシフェニル）−２−メチルプロパナール；１，７，７−トリメチルビシクロ［２．２．１］ヘプタン−２，３−ジオン；２，２−ジメチル−３−メチレンビシクロ［２．２．１］ヘプタン；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル−９−メチレンビシクロ［３．３．１］ノナン；３，３，６，７−テトラメチルオクタヒドロ−２Ｈ−クロメン；１−メチル−４−（プロパ−１−エン−２−イル）シクロヘキシルアセテート；１−メチル−４−（プロパ−１−エン−２−イル）シクロヘキサン−１−オール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパ−１−エン−２−イル）デカヒドロナフタレン；６，６−ジメチル−２−メチレンビシクロ［３．１．１］ヘプタン；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）ベンゼン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレントリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；２−メチル−４−フェニルブタン−２−オール；２−メチル−１−フェニルプロパン−２−オール；２’−イソプロピル−１，７，７−トリメチルスピロ［ビシクロ［２．２．１］ヘプタン−２，４’−［１，３］ジオキサン］；メチル（Ｅ）−オクタ−４，７−ジエノエート；（１Ｓ，４Ｒ，５Ｒ）−１−イソプロピル−４−メチルビシクロ［３．１．０］ヘキサン−３−オン；２−（４−メチルシクロヘキサ−３−エン−１−イル）プロパン−２−イルプロピオネート；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１Ｓ，４ａＳ，８ａＲ）−１−イソプロピル−４，７−ジメチル−１，２，４ａ，５，６，８ａ−ヘキサヒドロナフタレン；１−メチル−４−（プロパ−１−エン−２−イル）シクロヘキサ−１−エン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；７，７−ジメチル−２−メチレンビシクロ［２．２．１］ヘプタン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；（１Ｓ，４ａＲ，８ａＲ）−１−イソプロピル−４，７−ジメチル−１，２，４ａ，５，６，８ａ−ヘキサヒドロナフタレン；２，６−ジメチル−６−（４−メチルペンタ−３−エン−１−イル）ビシクロ［３．１．１］ヘプタ−２−エン；（１Ｓ，４ａＲ，８ａＳ）−１−イソプロピル−４，７−ジメチル−１，２，４ａ，５，６，８ａ−ヘキサヒドロナフタレン；１−フェニルペンタン−２−オール；トランス，トランス−２，４−ノナジエン−１−アール；α−４−ジメチルベンゼンプロパナール；２−（イソペンチルオキシ）酢酸アリル；（１ａＲ，４ａＳ，７Ｒ，７ａＲ，７ｂＳ）−１，１，７−トリメチル−４−メチレンデカヒドロ−
１Ｈ−シクロプロパ［ｅ］アズレン；（Ｅ）−ウンデカ−９−エナール；酢酸ノニル；（２−（１−プロポキシエトキシ）エチル）ベンゼン；１−（１−プロポキシエトキシ）プロパン；（（１−（２−メトキシエトキシ）エトキシ）メチル）ベンゼン；デカ−９−エナール；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；６−イソプロピルキノリン；３−（６，６−ジメチルビシクロ［３．１．１］ヘプタ−２−エン−２−イル）プロパナール；２−メチル−５−（プロパ−１−エン−２−イル）−２−ビニルテトラヒドロフラン；１−イソプロピル−４−メチルシクロヘキサ−３−エン−１−オール；１−フェニルペンタ−４−エン−１−オン；１−イソプロピル−４−メチルシクロヘキサ−３−エン−１−オール；３，６−ジメチル−４，５，６，７−テトラヒドロベンゾフラン；（Ｚ）−ドデカ−２−エナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；（２Ｅ，６Ｅ）−ノナ−２，６−ジエナール；２−フェノキシエタン−１−オール；（Ｚ）−ノナ−２−エナール；ノナン−２−オール；ノナン−２−オン；（Ｅ）−２−ヘキシリデンシクロペンタン−１−オン；２−ヘプチルテトラヒドロフラン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；（Ｅ）−ヘプタ−１−エン−１−イルアセテート；ウンデカ−１０−エナール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−ドデカ−３−エナール；（１Ｓ，２Ｓ，５Ｓ）−２−メチル−５−（プロパ−１−エン−２−イル）シクロヘキサン−１−オール；（２Ｓ，５Ｒ）−２−イソプロピル−５−メチルシクロヘキサン−１−オン；３−（３−イソプロピルフェニル）ブタナール；２−メチル−５−（６−メチルヘプタ−５−エン−２−イル）ビシクロ［３．１．０］ヘキサ−２−エン；２−（ｍ−トリル）エタン−１−オール；（３Ｅ，６Ｅ）−ノナ−３，６−ジエン−１−オール；イソブタン酸ｐ−トリル；４−（プロパ−１−エン−２−イル）シクロヘキサ−１−エン−１−カルバルデヒド；（４−（プロパ−１−エン−２−イル）シクロヘキサ−１−エン−１−イル）メチルアセテート；（２−イソプロポキシエチル）ベンゼン；２−フェニルエタン−１−オール；２−ベンジル−１，３−ジオキソラン；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−イソプロピル−１−メチルシクロヘキサ−３−エン−１−オール；プロパン−１，２−ジオール；２，４−ジメチル−４−フェニルテトラヒドロフラン；（Ｚ）−６−エチリデンオクタヒドロ−２Ｈ−５，８−メタノクロメン；２，２−ジメチル−６−メチレンシクロヘキサン−１−カルボン酸メチル；４−メチル−２−フェニル−３，６−ジヒドロ−２Ｈ−ピラン；（１Ｓ，３Ｒ，５Ｓ）−１−イソプロピル−４−メチレンビシクロ［３．１．０］ヘキサン−３−オール；５−アリルベンゾ［ｄ］［１，３］ジオキソール；（４ａＲ，８ａＲ）−４ａ，８−ジメチル−２−（プロパン−２−イリデン）−１，２，３，４，４ａ，５，６，８ａ−オクタヒドロナフタレン；２−メチル−１，５−ジオキサスピロ［５．５］ウンデカン；２−（ヘプタン−３−イル）−１，３−ジオキソラン；（Ｚ）−ドデカ−４−エナール；３−メチル−２−ペンチルシクロペンタン−１−オン；２，６，１０，１０−テトラメチル−１−オキサスピロ［４．５］デカ−６−エン；（１ａＲ，４ａＳ）−２，４ａ，８，８−テトラメチル−１，１ａ，４，４ａ，５，６，７，８−オクタヒドロシクロプロパ［ｄ］ナフタレン；１−イソプロピル−２−メトキシ−４−メチルベンゼン；（２Ｚ，４Ｅ）−ノナ−２，４−ジエナール；（２Ｅ，６Ｚ）−ノナ−２，６−ジエナール；（Ｚ）−デカ−２−エナール；（Ｅ）−ノナ−２−エナール；（３Ｅ，６Ｚ）−ノナ−３，６−ジエン−１−オール；（Ｅ）−デカ−４−エナール；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；１−メトキシ−３ａ，４，５，６，７，７ａ−ヘキサヒドロ−１Ｈ−４，７−メタノインデン；（Ｚ）−ヘキサ−３−エン−１−イルイソブチレート；デカヒドロ−３Ｈ−スピロ［フラン−２，５’−［４，７］メタノインデン］；（２Ｚ，６Ｅ）−ノナ−２，６−ジエンニトリル；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；１−エトキシ−４−（ｔｅｒｔ−ペンチル）シクロヘキサン；（３Ｚ）−１−（２−ブテン−１−イルオキシ）−３−ヘキセン；４−（２−メトキシプロパン−２−イル）−１−メチルシクロヘキサ−１−エン；３−メトキシ−３，７−ジメチルオクタ−１，６−ジエン；３，７−ジメチルオクタナール；３，３−ジメチル−５（２，２，３−トリメチル−３−シクロペンテン−１−イル）−４−ペンテン−２−オール；ヘキシル（Ｚ）−ブタ−２−エノエート；（Ｚ）−３，７−ジメチルオクタ−２，６−ジエン−１−イルホルメート；（Ｅ）−２，２−ジメチル−３−（３−メチルペンタ−２，４−ジエン−１−イル）オキシラン；（Ｅ）−３，７−ジメチルオクタ−４，６−ジエン−３−オール；（Ｚ）−ヘキサ−３−エン−１−イルシクロプロパンカルボキシレート；プロピオン酸１−フェニルエチル；２−フェニル酢酸メチル；メチル（Ｚ）−３，７−ジメチルオクタ−２，６−ジエノエート；２−シクロペンチリデン酢酸メチル；６−メトキシ−２，６−ジメチルヘプタナール；（（１Ｓ，４Ｓ）−４−イソプロピルシクロヘキシル）メタノール；３，７−ジメチルオクタ−１，６−ジエン−３−イルプロピオネート；３，７−ジメチルオクタ−１，６−ジエン−３−イルホルメート；３，７−ジメチルオクタ−１，６−ジエン−３−イルアセテート；３，７−ジメチルオクタ−１，６−ジエン−３−オール；（Ｚ）−ヘキサ−３−エン−１−イルメチルカーボネート；４−メチルキノリン；２−メチル−５−（１−メチルエテニル）−２−シクロヘキセノン；４−メチルペンタ−１−エン−３−オール；２−メチルブタン酸イソプロピル；４−メチルペンタ−４−エン−２−イルイソブチレート；７−メチルオクチルアセテート；７−メチルオクタン−１−オール；１，７，７−トリメチルビシクロ［２．２．１］ヘプタン−２−オール；オクタン酸イソペンチル；イソ酪酸イソペンチル；２−フェニルプロパン−１−オール；プロピオン酸ヘキシル；酪酸ヘキシル；２−メチル酪酸ヘキシル；ヘプタン−１−オール；酢酸ヘプチル；ヘプタナール；ベンゾ［ｄ］［１，３］ジオキソール−５−カルバルデヒド；（Ｚ）−３，７−ジメチルオクタ−２，６−ジエンニトリル；（Ｅ）−３，７−ジメチルオクタ−２，６−ジエン−１−イルホルメート；（Ｅ）−３，７−ジメチルオクタ−２，６−ジエナール；１−イソプロピル−４−メチルシクロヘキサ−１，４−ジエン；２−（ｓｅｃ−ブチル）シクロヘキサン−１−オン；３−（２−エチルフェニル）−２，２−ジメチルプロパナール；（Ｚ）−５−メチルヘプタ−２−エン−４−オン；１，３，３−トリメチルビシクロ［２．２．１］ヘプタン−２−オール；１，３，３−トリメチル−２−オキサビシクロ［２．２．２］オクタン；オクタン酸エチル；２−シクロヘキシルプロパン酸エチル；（２Ｒ，５Ｒ）−２−メチル−５−（プロパ−１−エン−２−イル）シクロヘキサン−１−オン；４−メチル−２−フェニルテトラヒドロ−２Ｈ−ピラン；２，６−ジメチルオクタ−７−エン−２−オール；３−メチル−２−ペンチルシクロペンタ−２−エン−１−オン；３，３，５−トリメチルシクロヘキサン−１−オン；２−メチル−５−（プロパ−１−エン−２−イル）シクロヘキサン−１−オン；２−（４−メチルシクロヘキシル）プロパン−２−イルアセテート；４−（２，６，６−トリメチルシクロヘキサ−２−エン−１−イル）ブタン−２−オン；２−ペンチルシクロペンタン−１−オン；（１ｓ，４ｓ）−１，４−ジメチルシクロヘキサン−１−カルボン酸メチル；２−シクロヘキシルエチルアセテート；２−メトキシ−４−メチルフェノール；（３Ｚ，５Ｚ）−２，６−ジメチルオクタ−１，３，５，７−テトラエン；４−シクロヘキシル−２−メチルブタン−２−オール；３，７−ジメチルオクタ−６−エンニトリル；３，７−ジメチルオクタ−６−エン−１−イルホルメート；３，７−ジメチルオクタ−６−エン−１−オール；３，７−ジメチルオクタ−６−エナール；（Ｅ）−３，７−ジメチルオクタ−２，６−ジエナール；（１Ｒ，２Ｓ，５Ｒ）−２，６，６−トリメチルビシクロ［３．１．１］ヘプタン；（Ｚ）−ヘキサ−３−エン−１−イルペンタノエート；（Ｅ）−ヘキサ−３−エン−１−イル（Ｅ）−２−メチルブタ−２−エノエート；（Ｚ）−ヘキサ−３−エン−１−イルプロピオネート；（Ｚ）−ヘキサ−３−エン−１−イルブチレート；（Ｚ）−ヘキサ−３−エン−１−オール；（Ｚ）−ヘキサ−２−エン−１−オール；シンナモニトリル；シンナムアルデヒド；シンナモニトリル；４−クロロ−３，５−ジメチルフェノール；５−イソプロピル−２−メチルフェノール；２−メチル−５−（プロパ−１−エン−２−イル）シクロヘキサ−２−エン−１−オン；２−（２−エトキシエトキシ）エタン−１−オール；ヘキサン−１−オール；２−（２，２，３−トリメチルシクロペンタ−３−エン−１−イル）アセトニトリル；１，７，７−トリメチルビシクロ［２．２．１］ヘプタン−２−オン；（１Ｓ，２Ｒ，４Ｓ）−１，７，７−トリメチルビシクロ［２．２．１］ヘプタン−２−オール；６，６−ジメチルスピロ［ビシクロ［３．１．１］ヘプタン−２，２’−オキシラン］；３−イソプロピル−６−メチレンシクロヘキサ−１−エン；４−フェニルブタン−２−オン；３−メチル酪酸ベンジル；イソ酪酸ベンジル；酪酸ベンジル；フェニルメタノール；１−（３，３−ジメチルシクロヘキシル）エチルホルメート；４−メトキシベンジルアセテート；４−メトキシベンジルホルメート；（Ｚ）−１−メトキシ−４−（プロパ−１−エン−１−イル）ベンゼン；２−（４−メチルシクロヘキサ−３−エン−１−イル）プロパン−２−イルアセテート；４−シクロヘキシルブタン−２−オール；（Ｅ）−２−メチル−３−フェニルアクリルアルデヒド；４−メトキシ−２，５−ジメチルフラン−３（２Ｈ）−オン；（２−（アリルオキシ）エチル）ベンゼン；ヘプタン酸アリル；３−ヒドロキシブタン−２−オン；１−（４−メトキシフェニル）エタン−１−オン；６−メチルキノリン；６，８−ジメチルノナン−２−オール；５−メチルヘプタン−３−オン；４−ビニルフェノール；４−エチル−２−メトキシフェノール；３−メチルシクロペンタン−１，２−ジオン；３−メトキシ−３−メチルブタン−
１−オール；（Ｅ）−ヘキサ−３−エン−１−オール；３，７−ジメチル−２−メチレンオクタ−６−エナール；３，７−ジメチルオクタン−１−オール；酢酸フェネチル；プロピオン酸フェネチル；２−ペンチルシクロペンタン−１−オール；（２Ｓ，４Ｓ）−２−ヘプチル−２，４−ジメチル−１，３−ジオキソラン；２−（ｓｅｃ−ブチル）−３−メトキシピラジン；２−イソプロピル−Ｎ，２，３−トリメチルブタンアミド；（Ｅ）−２−イソプロピル−５−メチルヘキサ−２−エナール；２−イソプロピル−４−メチルチアゾール；（Ｅ）−ヘキサ−２−エン−１−オール；２−ブトキシエタン−１−オール；１−イソプロピル−４−メチル−７−オキサビシクロ［２．２．１］ヘプタン；（Ｚ）−ヘプタ−３−エン−１−イルアセテート；（１Ｓ，５Ｓ）−４，６，６−トリメチルビシクロ［３．１．１］ヘプタ−３−エン−２−オン；（Ｒ）−３，７−ジメチルオクタ−１，６−ジエン−３−オール；３，７−ジメチルオクタ−６−エナール；（Ｒ）−３，７−ジメチルオクタ−６−エナール；３，７−ジメチルオクタ−６−エン−１−オール；３，７−ジメチルオクタ−６−エン−１−オール；（１Ｒ，５Ｒ）−２，６，６−トリメチルビシクロ［３．１．１］ヘプタ−２−エン；（Ｓ）−２−メチル−５−（プロパ−１−エン−２−イル）シクロヘキサ−２−エン−１−オン；（１Ｓ，５Ｓ）−２，６，６−トリメチルビシクロ［３．１．１］ヘプタ−２−エン；２−メチル酪酸メチル；ヘキシル（Ｚ）−２−メチルブタ−２−エノエート；１−フェニルビニルアセテート；ｐ−シメン；ギ酸フェネチル；２−（４−イソプロピルフェニル）アセトアルデヒド；１，２−ジメチル−３−（プロパ−１−エン−２−イル）シクロペンタン−１−オール；（２Ｚ，５Ｚ）−５，６，７−トリメチルオクタ−２，５−ジエン−４−オン；１−メトキシ−４−プロピルベンゼン；２−（４−（ｔｅｒｔ−ブチル）フェニル）アセトアルデヒド；４−（ｔｅｒｔ−ペンチル）シクロヘキサン−１−オール；２，６，６−トリメチルビシクロ［３．１．１］ヘプタ−２−エン；３，７−ジメチルオクタ−７−エン−１−オール；１−（３，３−ジメチルシクロヘキシル）エチルアセテート；（Ｓ）−３，７−ジメチルオクタ−１，６−ジエン−３−オール；１−イソプロピル−４−メチレンビシクロ［３．１．０］ヘキサン；５−イソプロピル−２−メチルビシクロ［３．１．０］ヘキサン−２−オール；（Ｓ）−２−（ｔｅｒｔ−ペンチルオキシ）プロパン酸プロピル；１−オキサスピロ（４，５）デカン−２−オン；（Ｚ）−５−メチルヘプタン−３−オンオキシム；酢酸１−フェニルエチル；３，７−ジメチルオクタナール；３，７−ジメチルオクタン−３−オール；３，７−ジメチルオクタン−３−イルアセテート；（１Ｒ，６Ｓ）−２，２，６−トリメチルシクロヘキサン−１−カルボン酸エチル；２−イソプロピル−５−メチルフェノール；（Ｅ）−ヘキサ−２−エン−１−オール；（１Ｒ，２Ｓ）−２−（ｔｅｒｔ−ブチル）シクロヘキサン−１−オール；（Ｚ）−１−メトキシ−４−（プロパ−１−エン−１−イル）ベンゼン；（２Ｒ，５Ｒ）−２−メチル−５−（プロパ−１−エン−２−イル）シクロヘキサン−１−オン；２−メルカプト−２−メチルペンタン−１−オール；２，２，５−トリメチル−５−ペンチルシクロペンタン−１−オン；（１Ｒ，５Ｒ）−４，６，６−トリメチルビシクロ［３．１．１］ヘプタ−３−エン−２−オン；２−（ｔｅｒｔ−ブチル）シクロヘキサン−１−オール；（４−ｔｅｒｔ−ブチルシクロヘキシル）アセテート；４−（ｔｅｒｔ−ブチル）シクロヘキシルアセテート；（Ｚ）−１−（（２−メチルアリル）オキシ）ヘキサ−３−エンからなる群から選択され、さらに好ましくは、前記１つ以上の悪臭低減材料は、１，１−ジメトキシノナ−２−イン；２−（ｐ−トリル）プロパン−２−オール；３−メトキシ−７，７−ジメチル−１０−メチレンビシクロ［４．３．１］デカン；メトキシシクロドデカン；４−（ｔｅｒｔ−ペンチル）シクロヘキサン−１−オン；７−イソプロピル−８，８−ジメチル−６，１０−ジオキサスピロ［４．５］デカン；酢酸オクチル；２−ヘプチル−４−メチル−１，３−ジオキソラン；オクタナール；１，１−ジメトキシオクタン；７−メチル−３−メチレンオクタ−１，６−ジエン；２−メチル−６−メチレンオクタ−７−エン−２−オール；２−メチル−６−メチレンオクタ−７−エン−２−イルアセテート；（Ｅ）−２，６−ジメチルオクタ−５，７−ジエン−２−オール；ノナン−１−オール；ノナナール；２−メトキシナフタレン；（Ｚ）−３，７−ジメチルオクタ−２，６−ジエン−１−オール；１−エチル−３−メトキシトリシクロ［２．２．１．０２，６］ヘプタン；メチル（Ｅ）−ノナ−２−エノエート；６，６−ジメチルビシクロ［３．１．１］ヘプタ−２−エン−２−カルバルデヒド；メチルノナ−２−イノエート；２−メチルデカナール；６，６−ジメトキシ−２，５，５−トリメチルヘキサ−２−エン；４−フェニルブタン−２−オール；１，１−ジメトキシ−２−メチルウンデカン；ウンデカン−２−オン；２−メチルウンデカナール；（Ｚ）−１，２−ジメトキシ−４−（プロパ−１−エン−１−イル）ベンゼン；４−アリル−１，２−ジメトキシベンゼン；１−メチル−２−フェノキシベンゼン；ケイ皮酸メチル；１−アリル−４−メトキシベンゼン；メチルオクタ−２−イノエート；２，６，６−トリメチルシクロヘキサ−２−エン−１−カルボン酸メチル；７−メトキシ−３，７−ジメチルオクタナール；オクタヒドロ−１Ｈ−４，７−メタノインデン−１−カルバルデヒド；８−イソプロピル−６−メチルビシクロ［２．２．２］オクタ−５−エン−２−カルバルデヒド；（Ｓ）−１−メチル−４−（プロパ−１−エン−２−イル）シクロヘキサ−１−エン；（Ｚ）−３−ヘキセン１−イル−２−シクロペンテン−１−オン；３，７−ジメチルオクタ−１，６−ジエン−３−イルイソブチレート；２−（５−メチル−５−ビニルテトラヒドロフラン−２−イル）プロパン−２−オール；３−（４−メチルシクロヘキサ−３−エン−１−イル）ブタナール；（Ｅ）−１−（１−メトキシプロポキシ）ヘキサ−３−エン；（Ｅ）−１−（１−エトキシエトキシ）ヘキサ−３−エン；（１Ｓ，５Ｒ）−２−メチル−５−（プロパ−１−エン−２−イル）シクロヘキサ−２−エン−１−オール；ドデカナール；２−プロピルヘプタンニトリル；２−ヘキシルシクロペンタン−１−オン；２−メチル−４−フェニル−１，３−ジオキソラン；２，６，９，１０−テトラメチル−１−オキサスピロ（４．５）デカ−３，６−ジエン；（１Ｒ，２Ｓ，５Ｒ）−５−メチル−２−（プロパ−１−エン−２−イル）シクロヘキサン−１−オール；（２Ｓ，５Ｓ）−２−イソプロピル−５−メチルシクロヘキサン−１−オン；２−ヘキシルシクロペンタ−２−エン−１−オン；（２Ｓ，５Ｓ）−２−イソプロピル−５−メチルシクロヘキサン−１−オン；２，５，６−トリメチルシクロヘキサ−３−エン−１−カルバルデヒド；（１Ｒ，２Ｒ，４Ｓ）−１，７，７−トリメチルビシクロ［２．２．１］ヘプタン−２−イルプロピオネート；（１Ｓ，２Ｓ，４Ｓ）−１，７，７−トリメチルビシクロ［２．２．１］ヘプタン−２−イルイソブチレート；（１Ｒ，４Ｓ）−１，７，７−トリメチルビシクロ［２．２．１］ヘプタン−２−イルアセテート；（Ｅ）−ノナ−２−エンニトリル；３−フェニルプロパン−１−オール；（１，１−ジメトキシプロパン−２−イル）ベンゼン；５−エチル−４−ヒドロキシ−２−メチルフラン−３（２Ｈ）−オン；ヘキサン酸ヘキシル；（Ｚ）−ヘキサ−１−エン−１−イル（Ｚ）−２−メチルブタ−２−エノエート；２−ブチル−４，４，６−トリメチル−１，３−ジオキサン；（１Ｒ，２Ｒ，３Ｒ，４Ｒ）−３−イソプロピルビシクロ［２．２．１］ヘプタ−５−エン−２−カルボン酸エチル；３ａ，４，５，６，７，７ａ−ヘキサヒドロ−１Ｈ−４，７−メタノインデン−６−イルアセテート；６−ブチル−２，４−ジメチル−３，６−ジヒドロ−２Ｈ−ピラン；２−エチル−６，６−ジメチルシクロヘキサ−２−エン−１−カルボン酸エチル；１−メチル−４−（プロパン−２−イリデン）シクロヘキシルアセテート；１−メチル−４−（プロパン−２−イリデン）シクロヘキサン−１−オール；（１Ｒ，４ａＲ，８ａＳ）−１−イソプロピル−７−メチル−４−メチレン−１，２，３，４，４ａ，５，６，８ａ−オクタヒドロナフタレン；（４ａＳ，９ａＲ）−３，５，５，９−テトラメチル−２，４ａ，５，６，７，９ａ−ヘキサヒドロ−１Ｈ−ベンゾ［７］アヌレン；（１Ｒ，４ａＳ，８ａＳ）−１−イソプロピル−７−メチル−４−メチレン−１，２，３，４，４ａ，５，６，８ａ−オクタヒドロナフタレン；フラン−２−イルメチルヘキサノエート；２−メチルデカンニトリル；（３ａＲ，４Ｓ，７Ｒ，７ａＲ）−オクタヒドロ−３ａＨ−４，７−メタノインデン−３ａ−カルボン酸エチル；（Ｅ）−４，８−ジメチルデカ−４，９−ジエナール；２−ヘプチルシクロペンタン−１−オン；３−シクロヘキセン−１−カルボン酸，２，６，６−トリメチル−，メチルエステル；４−アリル−２−メトキシフェノール；ノナン酸エチル；ノナン−３−オン；デカン酸エチル；６，６−ジメチル−２−メチレンシクロヘキサ−３−エン−１−カルボン酸エチル；（２−（１−エトキシエトキシ）エチル）ベンゼン；１，１−ジメトキシドデカン；（Ｒ）−１−メチル−４−（プロパ−１−エン−２−イル）シクロヘキサ−１−エン；オキシジベンゼン；ジフェニルメタン；２，６−ジメチルオクタ−７−エン−４−オン；オクタヒドロ−１Ｈ−４，７−メタノインデン−５−イルアセテート；２−メチル−５−（プロパ−１−エン−２−イル）シクロヘキシルアセテート；２−メチル−５−（プロパ−１−エン−２−イル）シクロヘキサン−１−オール；３，７−ジメチルオクタ−６−エン−３−オール；ジブチルスルファン；（３Ｒ，４Ｒ）−１−イソプロピル−４−メチル−３−（プロパ−１−エン−２−イル）−４−ビニルシクロヘキサ−１−エン；（Ｚ）−１−（（１Ｒ，２Ｓ）−２，６，６−トリメチルシクロヘキサ−３−エン−１−イル）ブタ−２−エン−１−オン；３，７，７−トリメチルビシクロ［４．１．０］ヘプタ−３−エン；プロピオン酸デシル；１，１−ジエトキシデカン；デカヒドロナフタレン−２−オール；１−シクロヘキシルエチル（Ｅ）−ブタ−２−エノエート；（４−イソプロピルフェニル）メタノール；（Ｅ）−２−（２，６−ジメチルヘプタ−１，５−ジエン−１−イル）−４−メチル−１，３−ジオキソラン；（Ｅ）−１，１−ジメトキシ−３，７−ジメチルオクタ−２，６−ジエン；（Ｅ）−３，７−ジメチルオクタ−１，３，６−トリエン；（１Ｒ，４Ｒ，６Ｓ）−１−メチル−４−（プロパ−１−エン−２−イル）−７−オキサビシクロ［４．１．０］ヘプタン；（Ｚ）−ノナ−６−エン−１−オール；（１Ｒ，５Ｒ）−２−メチル−５−（プロパ−１−エン−２−イル）シクロヘキサ−２−エン−１−オール；（Ｚ）−デカ−４−エナール；（Ｅ）−ヘキサ−３−エン−１−イル（Ｅ）−ヘキサ−３−エノエート；（Ｚ）−ヘキサ−３−エン−１−イル２−メチルブタノエート；（３Ｚ，６Ｚ）−ノナ−３，６−ジエン−１−オール；ギ酸シンナミル；（Ｅ）−３−フェニルプロパ−２−エン−１−オール；（３Ｒ，３ａＲ，６Ｓ，７Ｓ，８ａＳ）−６−メトキシ−３，６，８，８−テトラメチルオクタヒドロ−１Ｈ−３ａ，７−メタノアズレン；オクタンニトリル；オクタン−１−オール；オクタン酸；デカナール；３−（４−メトキシフェニル）−２−メチルプロパナール；１，７，７−トリメチルビシクロ［２．２．１］ヘプタン−２，３−ジオン；２，２−ジメチル−３−メチレンビシクロ［２．２．１］ヘプタン；（１Ｓ，２Ｓ）−１，７，７−トリメチルビシクロ［２．２．１］ヘプタン−２−イルイソブチレート；１，７，７−トリメチルビシクロ［２．２．１］ヘプタン−２−イルアセテート；２−エトキシ−２，６，６−トリメチル
−９−メチレンビシクロ［３．３．１］ノナン；３，３，６，７−テトラメチルオクタヒドロ−２Ｈ−クロメン；１−メチル−４−（プロパ−１−エン−２−イル）シクロヘキシルアセテート；１−メチル−４−（プロパ−１−エン−２−イル）シクロヘキサン−１−オール；（Ｒ）−３−メチレン−６−（（Ｓ）−６−メチルヘプタ−５−エン−２−イル）シクロヘキサ−１−エン；（４ａＲ，７Ｒ，８ａＳ）−４ａ−メチル−１−メチレン−７−（プロパ−１−エン−２−イル）デカヒドロナフタレン；６，６−ジメチル−２−メチレンビシクロ［３．１．１］ヘプタン；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）ベンゼン；（Ｅ）−７，１１−ジメチル−３−メチレンドデカ−１，６，１０−トリエン；（１Ｒ，２Ｓ，６Ｓ，７Ｓ，８Ｓ）−８−イソプロピル−１−メチル−３−メチレントリシクロ［４．４．０．０２，７］デカン；（３Ｒ，３ａＳ，７Ｓ，８ａＳ）−３，８，８−トリメチル−６−メチレンオクタヒドロ−１Ｈ−３ａ，７−メタノアズレン；（１Ｒ，９Ｓ，Ｚ）−４，１１，１１−トリメチル−８−メチレンビシクロ［７．２．０］ウンデカ−４−エン；２−メチル−４−フェニルブタン−２−オール；２−メチル−１−フェニルプロパン−２−オール；２’−イソプロピル−１，７，７−トリメチルスピロ［ビシクロ［２．２．１］ヘプタン−２，４’−［１，３］ジオキサン］；メチル（Ｅ）−オクタ−４，７−ジエノエート；（１Ｓ，４Ｒ，５Ｒ）−１−イソプロピル−４−メチルビシクロ［３．１．０］ヘキサン−３−オン；２−（４−メチルシクロヘキサ−３−エン−１−イル）プロパン−２−イルプロピオネート；（２Ｒ，４ａＲ，８ａＲ）−４ａ，８−ジメチル−２−（プロパ−１−エン−２−イル）−１，２，３，４，４ａ，５，６，８ａ−オクタヒドロナフタレン；１，７−ジメチル−７−（４−メチルペンタ−３−エン−１−イル）トリシクロ［２．２．１．０２，６］ヘプタン；（１Ｒ，３ａＳ，７Ｓ，８ａＲ）−１，４，９，９−テトラメチル−２，３，６，７，８，８ａ−ヘキサヒドロ−・PＨ−３ａ，７−メタノアズレン；（１Ｓ，４ａＳ，８ａＲ）−１−イソプロピル−４，７−ジメチル−１，２，４ａ，５，６，８ａ−ヘキサヒドロナフタレン；１−メチル−４−（プロパ−１−エン−２−イル）シクロヘキサ−１−エン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；７，７−ジメチル−２−メチレンビシクロ［２．２．１］ヘプタン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレン；（１Ｓ，４ａＲ，８ａＲ）−１−イソプロピル−４，７−ジメチル−１，２，４ａ，５，６，８ａ−ヘキサヒドロナフタレン；２，６��ジメチル−６−（４−メチルペンタ−３−エン−１−イル）ビシクロ［３．１．１］ヘプタ−２−エン；（１Ｓ，４ａＲ，８ａＳ）−１−イソプロピル−４，７−ジメチル−１，２，４ａ，５，６，８ａ−ヘキサヒドロナフタレン；１−フェニルペンタン−２−オール；トランス，トランス−２，４−ノナジエン−１−アール；α，４−ジメチルベンゼンプロパナール；２−（イソペンチルオキシ）酢酸アリル；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（Ｅ）−ウンデカ−９−エナール；酢酸ノニル；（２−（１−プロポキシエトキシ）エチル）ベンゼン；１−（１−プロポキシエトキシ）プロパン；（（１−（２−メトキシエトキシ）エトキシ）メチル）ベンゼン；デカ−９−エナール；（２Ｓ，４ａＲ，８ａＲ）−４ａ，８−ジメチル−２−（プロパ−１−エン−２−イル）−１，２，３，４，４ａ，５，６，８ａ−オクタヒドロナフタレン；６−イソプロピルキノリン；３−（６，６−ジメチルビシクロ［３．１．１］ヘプタ−２−エン−２−イル）プロパナール；２−メチル−５−（プロパ−１−エン−２−イル）−２−ビニルテトラヒドロフラン；１−イソプロピル−４−メチルシクロヘキサ−３−エン−１−オール；１−フェニルペンタ−４−エン−１−オン；１−イソプロピル−４−メチルシクロヘキサ−３−エン−１−オール；３，６−ジメチル−４，５，６，７−テトラヒドロベンゾフラン；（Ｚ）−ドデカ−２−エナール；（Ｅ）−ヘキサ−３−エン−１−イル３−メチルブタノエート；３，６−ジメチルオクタン−３−イルアセテート；３−（４−イソプロピルフェニル）プロパナール；（Ｚ）−ウンデカ−２−エンニトリル；（Ｅ）−ウンデカ−２−エナール；（２Ｅ，６Ｅ）−ノナ−２，６−ジエナール；２−フェノキシエタン−１−オール；（Ｚ）−ノナ−２−エナール；ノナン−２−オール；ノナン−２−オン；（Ｅ）−２−ヘキシリデンシクロペンタン−１−オン；２−ヘプチルテトラヒドロフラン；（Ｅ）−デカ−２−エナール；（２Ｅ，６Ｅ）−ノナ−２，６−ジエナール；（２Ｅ，６Ｅ）−ノナ−２，６−ジエン−１−オール；２，６−ジメチルオクタナール；デカン−１−オール；（Ｅ）−ヘプタ−１−エン−１−イルアセテート；ウンデカ−１０−エナール；１−イソプロピル−４−メチル−７−チアビシクロ［２．２．１］ヘプタン；（３Ｅ，５Ｚ）−ウンデカ−１，３，５−トリエン；３，７−ジメチルオクタ−６−エン−３−オール；１，３，３−トリメチルビシクロ［２．２．１］ヘプタン−２−イルアセテート；１，１，２，３，３−ペンタメチル−２，３−ジヒドロ−１Ｈ−インデン；（Ｚ）−ドデカ−３−エナール；（１Ｓ，２Ｓ，５Ｓ）−２−メチル−５−（プロパ−１−エン−２−イル）シクロヘキサン−１−オール；（２Ｓ，５Ｒ）−２−イソプロピル−５−メチルシクロヘキサン−１−オン；３−（３−イソプロピルフェニル）ブタナール；２−メチル−５−（６−メチルヘプタ−５−エン−２−イル）ビシクロ［３．１．０］ヘキサ−２−エン；２−（ｍ−トリル）エタン−１−オール；（３Ｅ，６Ｅ）−ノナ−３，６−ジエン−１−オール；イソブタン酸ｐ−トリル；４−（プロパ−１−エン−２−イル）シクロヘキサ−１−エン−１−カルバルデヒド；（４−（プロパ−１−エン−２−イル）シクロヘキサ−１−エン−１−イル）メチルアセテート；（２−イソプロポキシエチル）ベンゼン；２−フェニルエタン−１−オール；２−ベンジル−１，３−ジオキソラン；２−（６，６−ジメチルビシクロ［３．１．１］ヘプタ−２−エン−２−イル）アセトアルデヒド；６，６−ジメチル−２−メチレンビシクロ［３．１．１］ヘプタン−３−オール；４−イソプロピル−１−メチルシクロヘキサ−３−エン−１−オール；プロパン−１，２−ジオール；２，４−ジメチル−４−フェニルテトラヒドロフラン；（Ｚ）−６−エチリデンオクタヒドロ−２Ｈ−５，８−メタノクロメン；２，２−ジメチル−６−メチレンシクロヘキサン−１−カルボン酸メチル；４−メチル−２−フェニル−３，６−ジヒドロ−２Ｈ−ピラン；（１Ｓ，３Ｒ，５Ｓ）−１−イソプロピル−４−メチレンビシクロ［３．１．０］ヘキサン−３−オール；５−アリルベンゾ［ｄ］［１，３］ジオキソール；（４ａＲ，８ａＲ）−４ａ，８−ジメチル−２−（プロパン−２−イリデン）−１，２，３，４，４ａ，５，６，８ａ−オクタヒドロナフタレン；２−メチル−１，５−ジオキサスピロ［５．５］ウンデカン；２−（ヘプタン−３−イル）−１，３−ジオキソラン；（Ｚ）−ドデカ−４−エナール；３−メチル−２−ペンチルシクロペンタン−１−オン；２，６，１０，１０−テトラメチル−１−オキサスピロ［４．５］デカ−６−エン；（１ａＲ，４ａＳ）−２，４ａ，８，８−テトラメチル−１，１ａ，４，４ａ，５，６，７，８−オクタヒドロシクロプロパ［ｄ］ナフタレン；１−イソプロピル−２−メトキシ−４−メチルベンゼン；（２Ｚ，４Ｅ）−ノナ−２，４−ジエナール；（２Ｅ，６Ｚ）−ノナ−２，６−ジエナール；（Ｚ）−デカ−２−エナール；（Ｅ）−ノナ−２−エナール；（３Ｅ，６Ｚ）−ノナ−３，６−ジエン−１−オール；（Ｅ）−デカ−４−エナール；（Ｚ）−３，７−ジメチルオクタ−１，３，６−トリエン；（Ｚ）−３，７−ジメチルオクタ−１，３，６−トリエン；（Ｅ）−３，７−ジメチルオクタ−２，６−ジエン−１−オール；ウンデカナール；（Ｅ）−４−メチルデカ−３−エン−５−オール；（３Ｒ，４ａＳ，５Ｒ）−４ａ，５−ジメチル−３−（プロパ−１−エン−２−イル）−１，２，３，４，４ａ，５，６，７−オクタヒドロナフタレン；１−メトキシ−３ａ，４，５，６，７，７ａ−ヘキサヒドロ−１Ｈ−４，７−メタノインデン；（Ｚ）−ヘキサ−３−エン−１−イルイソブチレート；デカヒドロ−３Ｈ−スピロ［フラン−２，５’−［４，７］メタノインデン］；（２Ｚ，６Ｅ）−ノナ−２，６−ジエンニトリル；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］からなる群から選択され、最も好ましくは、前記１つ以上の悪臭低減材料は、３−メトキシ−７，７−ジメチル−１０−メチレンビシクロ［４．３．１］デカン；（１Ｓ，２Ｓ，４Ｓ）−１，７，７−トリメチルビシクロ［２．２．１］ヘプタン−２−イルイソブチレート；３ａ，４，５，６，７，７ａ−ヘキサヒドロ−１Ｈ−４，７−メタノインデン−６−イルアセテート；オクタヒドロ−１Ｈ−４，７−メタノインデン−５−イルアセテート；（１Ｓ，２Ｓ）−１，７，７−トリメチルビシクロ［２．２．１］ヘプタン−２−イルイソブチレート；（１Ｓ，４Ｒ，７Ｒ）−１，４，９，９−テトラメチル−１，２，３，４，５，６，７，８−オクタヒドロ−４，７−メタノアズレン；（２，２−ジメトキシエチル）ベンゼン；（３Ｒ，３ａＳ，７Ｓ，８ａＳ）−３，８，８−トリメチル−６−メチレンオクタヒドロ−１Ｈ−３ａ，７−メタノアズレン；（１Ｒ，３ａＳ，７Ｓ，８ａＲ）−１，４，９，９−テトラメチル−２，３，６，７，８，８ａ−ヘキサヒドロ−１Ｈ−３ａ，７−メタノアズレン；（１ａＲ，４Ｒ，４ａＲ，７ｂＳ）−１，１，４，７−テトラメチル−１ａ，２，３，４，４ａ，５，６，７ｂ−オクタヒドロ−１Ｈ−シクロプロパ［ｅ］アズレン；（３ａＲ，３ｂＲ，４Ｓ，７Ｒ，７ａＳ）−４−イソプロピル−７−メチル−３ａ，３ｂ，４，５，６，７−ヘキサヒドロ−１Ｈ−シクロペンタ［１，３］シクロプロパ［１，２］ベンゼン；（１ａＲ，４ａＳ，７Ｒ，７ａＲ，７ｂＳ）−１，１，７−トリメチル−４−メチレンデカヒドロ−１Ｈ−シクロプロパ［ｅ］アズレン；（１ａＲ，４ａＳ）−２，４ａ，８，８−テトラメチル−１，１ａ，４，４ａ，５，６，７，８−オクタヒドロシクロプロパ［ｄ］ナフタレン；デカヒドロ−３Ｈ−スピロ［フラン−２，５’−［４，７］メタノインデン］；１’，１’，５’，５’−テトラメチルヘキサヒドロ−２’Ｈ，５’Ｈ−スピロ［［１，３］ジオキソラン−２，８’−［２，４ａ］メタノナフタレン］；（２’Ｓ，４ａ’Ｓ，８ａ’Ｓ）−１’，１’，５’，５’−テトラメチルヘキサヒドロ−２’Ｈ，５’Ｈ−スピロ［［１，３］ジオキソラン−２，８’−［２，４ａ］メタノナフタレン］；（１ａＳ，２ａＲ，３Ｒ，５ａＳ，７Ｒ，７ａＲ）−３，６，６，７ａ−テトラメチルオクタヒドロ−２Ｈ−２ａ，７−メタノアズレノ［５，６−ｂ］オキシレンおよびこれらの混合物からなる群から選択される、悪臭低減材料；および
（ｂ）任意選択的に、０．０１％〜９０％、好ましくは、１０％〜９０％、さらに好ましくは、２０％〜８０％、最も好ましくは、３０％〜７０％の少なくとも１つの溶媒、好ましくは、前記溶媒は、蒸気圧が０．０００６２５ｔｏｒｒ〜０．６２５ｔｏｒｒ、好ましくは、０．００６２５ｔｏｒｒ〜約０．４２５ｔｏｒｒ、さらに好ましくは、０．０６２５ｔｏｒｒ〜０．３２５ｔｏｒｒ、最も好ましくは、０．０８７５ｔｏｒｒ〜０．２２５ｔｏｒｒの有機材料を含む、少なくとも１つの溶媒；
（ｃ）任意選択的に、補助成分を含む、空気清浄組成物。
【請求項２】
前記総量の悪臭低減材料は、Ｂｌｏｃｋｅｒ  Ｉｎｄｅｘが３未満、さらに好ましくは２．５未満、さらになお好ましくは、２未満、さらになお好ましくは、１未満、最も好ましくは、０であり、および／またはＢｌｏｃｋｅｒ  Ｉｎｄｅｘの平均が３〜０．００１である、請求項１に記載の清浄組成物。
【請求項３】
前記悪臭低減材料は、それぞれ、ＭＯＲＶが少なくとも０．５、好ましくは、０．５〜１０、さらに好ましくは、１〜１０、最も好ましくは、１〜５であり、好ましくは、前記悪臭低減材料は、それぞれ、Ｕｎｉｖｅｒｓａｌ  ＭＯＲＶを有する、請求項１に記載の清浄組成物。
【請求項４】
前記悪臭低減材料は、それぞれ、ＭＯＲＶが少なくとも０．５、好ましくは、０．５〜１０、さらに好ましくは、１〜１０、最も好ましくは、１〜５であり、好ましくは、前記悪臭低減材料は、それぞれ、Ｕｎｉｖｅｒｓａｌ  ＭＯＲＶを有する、請求項２に記載の清浄組成物。
【請求項５】
前記総量の悪臭低減材料は、Ｆｒａｇｒａｎｃｅ  Ｆｉｄｅｌｉｔｙ  Ｉｎｄｅｘの平均が３〜０．００１Ｆｒａｇｒａｎｃｅ  Ｆｉｄｅｌｉｔｙ  Ｉｎｄｅｘであり、好ましくは、前記総量の悪臭低減材料中の悪臭低減材料は、それぞれ、Ｆｒａｇｒａｎｃｅ  Ｆｉｄｅｌｉｔｙ  Ｉｎｄｅｘが３未満、好ましくは、２未満、さらに好ましくは、１未満であり、最も好ましくは、前記総量の悪臭低減材料中の悪臭低減材料は、それぞれ、Ｆｒａｇｒａｎｃｅ  Ｆｉｄｅｌｉｔｙ  Ｉｎｄｅｘが０である、請求項１〜４のいずれか一項に記載の清浄組成物。
【請求項６】
前記総量の悪臭低減材料以外の１つ以上の芳香原材料を含み、前記１つ以上の芳香原材料と前記総量の悪臭低減材料の比率は、１，０００，０００：１〜１：１、好ましくは、１０，０００：１〜１：１、さらに好ましくは、２５００：１〜１：１、最も好ましくは、５：１〜１：１である、請求項１〜５のいずれか一項に記載の清浄組成物。
【請求項７】
悪臭低減材料と前記１つ以上の芳香原材料を合わせた合計重量を基準として、１０％未満、好ましくは、５％未満、さらに好ましくは、１％未満の前記悪臭低減材料および前記１つ以上の芳香原材料は、不飽和アルデヒド部分を含む、請求項１〜６のいずれか一項に記載の清浄組成物。
【請求項８】
前記悪臭低減材料は、ゲラニルニトリル；ヘリオナール；ノナナール；リナロール；（Ｓ）−（＋）−リナロール；（Ｒ）−（−）−リナロール；ネロール；テトラヒドロリナロール；酢酸２−フェニルエチル；オイゲノール；エチルリナロール；アリルヘプトエート；アグルメンニトリル；シトロニトリル；２，２−ジメチル−３−（ｍ−トリル）プロパン−１−オール；２−メチル−５−フェニルペンタン−１−オール；ドデカンニトリル；２−ヘプチルシクロペンタン−１−オン；メチルノニルアセトアルデヒド；３−（２−エチルフェニル）−２，２−ジメチルプロパナール；（Ｚ）−１−（２，６，６−トリメチルシクロヘキサ−２−エン−１−イル）ブタ−２−エン−１−オン；（Ｒ，Ｅ）−２−メチル−４−（２，２，３−トリメチルシクロペンタ−３−エン−１−イル）ブタ−２−エン−１−オール；４−（ｔｅｒｔ−ブチル）シクロヘキシルアセテート；１−シクロヘキシルエチル（Ｅ）−ブタ−２−エノエート；２−（シクロヘキシルオキシ）酢酸アリル；酢酸α−テルピニル；酢酸β−テルピニル；酢酸γ−テルピニル；メチルドデシルエーテル；２，４−ジメチル−４，４ａ，５，９ｂ−テトラヒドロインデノ［１，２−ｄ］［１，３］ジオキシン；イソブタン酸シンナミル；（Ｅ）−２−メチル−４−（２，６，６−トリメチルシクロヘキサ−１−エン−１−イル）ブタ−２−エナール；γ−メチルイオノン；エチル２，３，６−トリメチルシクロヘキシルカーボネートエチル２，３，６−トリメチルシクロヘキシルカーボネート；シトラールジメチルアセタール；ジメトキシシクロドデカン；１−（（２Ｓ，３Ｓ）−２，３，８，８−テトラメチル−１，２，３，４，５，６，７，８−オクタヒドロナフタレン−２−イル）エタン−１−オン；オキサシクロヘキサデカン−２−オン；４，６，６，７，８，８−ヘキサメチル−１，３，４，６，７，８−ヘキサヒドロシクロペンタ［ｇ］イソクロメン；エチレンブラシレート；（Ｚ）−２−（（３−（４−（ｔｅｒｔ−ブチル）フェニル）−２−メチルプロピリデン）アミノ）安息香酸メチル；４，７−メタノ−１Ｈ−インデン−５−オール，３ａ，４，５，６，７，７ａ−ヘキサヒドロ−，５−アセテート；セドリルメチルエーテル；ベチベリルアセタート；１−（（３Ｒ，３ａＲ，７Ｒ，８ａＳ）−３，６，８，８−テトラメチル−２，３，４，７，８，８ａ−ヘキサヒドロ−１Ｈ−３ａ，７−メタノアズレン−５−イル）エタン−１−オン；ベンゾフェノン；ファルネソール；トランス，トランス−ファルネソール；３−（３−イソプロピルフェニル）ブタナール；２，６，１０−トリメチルウンデカ−９−エナール；３−（４−（ｔｅｒｔ−ブチル）フェニル）プロパナール；３−（４−イソプロピルフェニル）−２−メチルプロパナール；シトロネラール（ｌ）；シトロネラール（ｄ）；（Ｅ）−４，８−ジメチルデカ−４，９−ジエナール；ピノアセトアルデヒド；３−（４−（ｔｅｒｔ−ブチル）フェニル）−２−メチルプロパナール；シンナムアルデヒド；シトラール；ゲラニアール；メトキシメロナール；ｏ−メトキシシンナムアルデヒド；（Ｅ）−４−（（３ａＳ，７ａＳ）−オクタヒドロ−５Ｈ−４，７−メタノインデン−５−イリ���ン）ブタナール；メチルオクチルアセトアルデヒド；３−（４−メトキシフェニル）−２−メチルプロパナール；５−メトキシオクタヒドロ−１Ｈ−４，７−メタノインデン−２−カルバルデヒド；イソシクロシトラール；オクタナール；２−ウンデセナール；１０−ウンデセナール；トランス−トランス−２，６−ノナジエナール；トランス−２，シス−６−ノナジエナール；ヘリオトロピン；ヘキシルシンナムアルデヒド；ｐ−メチル−α−ペンチルシンナムアルデヒド；α−メチルシンナムアルデヒド；３，４−ジメトキシベンズアルデヒド；ミルテナール；ペリルアルデヒド；マセアル；パルミチン酸メチル；メチルイソオイゲノールおよびこれらの混合物からなる群から選択されない、請求項１〜７のいずれか一項に記載の清浄組成物。
【請求項９】
悪臭低減材料と前記１つ以上の芳香原材料を合わせた合計重量を基準として、５０％未満、好ましくは、２５％未満、さらに好ましくは、１５％未満の前記悪臭低減材料および前記１つ以上の芳香原材料は、蒸気圧が０．０００３７５〜４．００；さらに好ましくは、０．００１７５〜２．５０、さらに好ましくは、０．００８７５〜１．００、最も好ましくは、０．０１７５〜０．５０であり、好ましくは、前記組成物が水を含む、請求項１〜８のいずれか一項に記載の清浄組成物。
【請求項１０】
前記清浄組成物は、増粘剤またはゲル化剤を含み、好ましくは、前記増粘剤またはゲル化剤は、
（ａ）多糖ゲル化剤、好ましくは、ゲラン、カラゲナン、寒天、アルギネートおよびこれらの混合物からなる群から選択される、多糖ゲル化剤、
（ｂ）セルロースゲル化剤、好ましくは、エチルセルロース、エチルセルロース誘導体、メチルセルロース、メチルセルロース誘導体およびこれらの混合物からなる群から選択される、セルロースゲル化剤、
（ｃ）アクリル樹脂、好ましくは、アクリル酸またはメタクリル酸の水溶性ポリマーを含む、アクリル樹脂からなる群から選択される、請求項１〜９のいずれかに記載の清浄組成物。
【請求項１１】
前記組成物が、
（ａ）水、
（ｂ）着色剤および染料、
（ｃ）溶媒および希釈剤、例えば、グリコールエーテル、アルコール、液体炭化水素、酢酸エステル、グルコン酸、アジピン酸、グルタル酸、安息香酸またはコハク酸、
（ｄ）防腐剤、好ましくは、酸化防止剤、好ましくは、以下の酸化防止剤置換フェノール；ＵＶ吸収剤、好ましくは、以下のＵＶ吸収剤、好ましくは、ベンゾフェノン、ベンゾトリアゾール、および２，２，６，６−テトラメチルピペリジンの誘導体、
（ｅ）昆虫忌避剤、
（ｆ）抗菌剤、好ましくは、四級アンモニウム化合物、アルコール、イソチオゾリノン誘導体、
（ｇ）香料およびアロマセラピー剤、
（ｈ）およびこれらの混合物からなる群から選択される補助成分を含む、請求項１〜１０のいずれか一項に記載の組成物。
【請求項１２】
請求項１〜１１のいずれか一項に記載の清浄組成物を含むデバイスであって、好ましくは、前記デバイスは、通電された空気清浄機および通電されていない空気清浄機からなる群から選択され、さらに好ましくは、前記デバイスは、
（ａ）芯型の空気清浄機；
（ｂ）容器型の空気清浄機；
（ｃ）多孔性膜の空気清浄機；
（ｄ）動力式空気清浄機、好ましくは、サーマルドロップオンデマンド空気清浄機、圧電空気清浄機、加熱空気清浄機、ファン空気清浄機、またはマイクロ流体デバイス空気清浄機からなる群から選択される動力式空気清浄機；および
（ｅ）スプレーデバイスからなる群から選択される、デバイス。
【請求項１３】
悪臭を制御する方法であって、悪臭を含む場所または悪臭を発生しそうな場所と、請求項１〜１１に記載の組成物からなる群から選択される組成物およびこれらの混合物とを接触させることを含み、好ましくは、前記場所は空気である、方法。
【請求項１４】
前記接触させる工程が、前記場所と、十分な量の請求項１〜１１に記載の組成物とを接触させ、前記場所あたり、０．１ナノグラム（ｎｇ）〜５０００ｎｇ、好ましくは、１ｎｇ〜３，５００ｎｇ、最も好ましくは、１０ｎｇ〜１５００ｎｇの前記総量の悪臭低減材料を与えることを含む、請求項１３に記載の方法。
【発明の詳細な説明】
【技術分野】
【０００１】
本発明は、清浄組成物、および悪臭低減組成物を含む組成物を含む、清浄組成物を含むデバイス、およびこのような組成物の製造方法および使用方法に関する。
【背景技術】
【０００２】
無香料または低香料製品は、香料入り商品より自然で、より控え目と考えられる場合があり、消費者に好まれる。悪臭を抑制するための無香料または低香料製品のメーカーは、悪臭を低減するうえで悪臭低減材料またはその他の技術（例えばフィルター）に頼っている。しかし、例えば、アミン系の悪臭（例えば、魚および尿）、チオール系およびスルフィド系の悪臭（例えば、ニンニクおよびタマネギ）、Ｃ2〜Ｃ12カルボン酸系の悪臭（例えば、身体およびペットの臭い）、インドール系の悪臭（例えば、糞便および臭い息）、短鎖脂肪族アルデヒド系の悪臭（例えば、脂）およびゲオスミン系の悪臭（例えば、カビ／白カビ）のような悪臭を効果的に制御することは困難な場合があり、生成物が悪臭を著しく減らすのに必要な時間は、悪臭に対する製品の効能について消費者に疑いを抱かせることがある。多くの場合、メーカーは、これら困難な悪臭をマスキングするために芳香香料を取り入れている。
【発明の概要】
【発明が解決しようとする課題】
【０００３】
残念ながら、悪臭制御技術は、典型的には、悪臭をもっと強い香りで覆い隠すため、この悪臭制御技術で処理された芳香を放つ場所または芳香を放たない場所の香りを妨害する。従って、現行の悪臭制御技術の限定的な性質は、特に制限されている。従って、必要なことは、香料コミュニティが多くの状況／用途で望ましいレベルの特徴を運ぶことができるような、広範囲の悪臭制御技術である。驚くべきことに、出願人は、感覚細胞への悪臭の到達をブロックすることに加え、望ましい目標を達成するために、悪臭制御技術は、このような感覚細胞が、他の分子（例えば、香り分子）に向かって開いたままでなければならないことを認識した。清浄組成物、および本明細書に開示する悪臭制御技術を含む、これを含むデバイスは、このような清浄組成物で処理された芳香を放つ場所または芳香を放たない場所の香りを過度に妨害しないため、利点を与える。
【課題を解決するための手段】
【０００４】
本発明は、清浄組成物、および悪臭低減組成物を含む組成物を含む、清浄組成物を含むデバイス、およびこのような組成物の製造方法および使用方法に関する。このような悪臭制御技術は悪臭制御技術で処理された芳香を放つ場所または芳香を放たない場所の香りを過度に妨害しない。
【発明を実施するための形態】
【０００５】
本明細書で使用する場合、「ＭＯＲＶ」は、目的材料について計算された悪臭低減値である。材料のＭＯＲＶは、このような材料が、１種類以上の悪臭の検知を減らすか、またはなくしさえする能力を示す。本出願の目的のために、材料のＭＯＲＶは、本出願の試験方法の章に見出される方法に従って計算される。
【０００６】
本明細書で使用する場合、「芳香」という用語は、悪臭低減材料を含まない。従って、組成物の芳香部分は、芳香の組成が決定されたとき、組成物中に見出される任意の悪臭低減材料（例えば、本明細書に記載されるような悪臭低減材料）を含まない。簡単に言うと、ある材料の悪臭低減値「ＭＯＲＶ」が、本特許請求の範囲に引用されるＭＯＲＶの範囲内である場合、このような材料は、この特許請求の範囲のプロセスのための悪臭低減材料である。
【０００７】
本明細書で使用する場合、「悪臭」とは、排便にともなう複合臭のようなほとんどの人々にとって一般的に不快であるか不愉快である化合物を意味する。
【０００８】
本願で使用する場合、「臭気ブロッキング」は、人間の嗅覚を鈍くすることができる化合物の能力を意味する。
【０００９】
本明細書で使用する場合、用語「ａ」および「ａｎ」は、「少なくとも１つ」を意味する。
【００１０】
本明細書で使用する場合、用語「含む（include）」、「含む（includes）」、および「含んでいる（including）」は、非限定的であることを意味する。
【００１１】
別途指定されない限り、成分または組成物の濃度は全て、当該成分または組成物の活性部分に関するものであり、このような成分または組成物の市販の供給源に存在し得る不純物、例えば、残留溶媒または副生成物は除外される。
【００１２】
全ての百分率および比率は、別途指定されない限り、重量で計算される。全ての百分率および比率は、別途指定されない限り、全組成物を基準にして計算される。
【００１３】
本明細書の全体を通じて与えられる全ての最大数値限定は、それよりも小さい数値限定を、そのようなより小さい数値限定があたかも本明細書に明確に記載されているかのように包含するものと理解すべきである。本明細書の全体を通じて与えられる全ての最小数値限定は、より大きい全ての数値限定を、そのようなより大きい数値限定があたかも本明細書に明確に記載されているかのように包含する。本明細書全体を通して与えられる全ての数値範囲は、そのようなより広い数値範囲内に入るより狭い全ての数値範囲を、そのような狭い数値範囲があたかも全て本明細書に明確に記載されているかのように包含する。
【００１４】
悪臭低減材料
適切な悪臭低減材料の非限定的なセットを以下の表に提示する。使用を簡単にするために、表１〜３のそれぞれの材料は、「番号」に示されたそれぞれの表の列にみられる数識別子が割り当てられる。表４は、表１の部分的なセットであり、表５は、表２の部分的なセットであり、表６は、表３の部分的なセットであり、表４、５および６は、それぞれ表１〜３にみられる数識別子と同じ数識別子を使用する。
【００１５】
【表１】
2019123883.tif 000002
【００１６】
【表２−１】
2019123883.tif 000003
【００１７】
【表２−２】
2019123883.tif 000004
【００１８】
【表２−３】
2019123883.tif 000005
【００１９】
【表２−４】
2019123883.tif 000006
【００２０】
【表２−５】
2019123883.tif 000007
【００２１】
【表２−６】
2019123883.tif 000008
【００２２】
【表２−７】
2019123883.tif 000009
【００２３】
【表２−８】
2019123883.tif 000010
【００２４】
【表２−９】
2019123883.tif 000011
【００２５】
【表２−１０】
2019123883.tif 000012
【００２６】
【表２−１１】
2019123883.tif 000013
【００２７】
【表２−１２】
2019123883.tif 000014
【００２８】
【表３】
2019123883.tif 000015
【００２９】
【表４−１】
2019123883.tif 000016
【００３０】
【表４−２】
2019123883.tif 000017
【００３１】
【表４−３】
2019123883.tif 000018
【００３２】
【表４−４】
2019123883.tif 000019
【００３３】
【表５−１】
2019123883.tif 000020
【００３４】
【表５−２】
2019123883.tif 000021
【００３５】
【表６】
2019123883.tif 000022
【００３６】
【表７】
2019123883.tif 000023
【００３７】
表１〜６の材料は、以下の１つ以上によって供給することができる。
プレインズボロ、ＮＪ、米国のＦｉｒｍｅｎｉｃｈ  Ｉｎｃ．ニューヨーク、ＮＹのＩｎｔｅｒｎａｔｉｏｎａｌ  Ｆｌａｖｏｒ  ａｎｄ  Ｆｒａｇｒａｎｃｅ  Ｉｎｃ．米国；Ｔａｋａｓａｇｏ  Ｃｏｒｐ．テターボロ、ＮＪ  ＵＳＡ；Ｔａｋａｓａｇｏ  Ｃｏｒｐ．テターボロ、ＮＪ  ＵＳＡ；Ｓｉｇｍａ−Ａｌｄｒｉｃｈ／ＳＡＦＣ  Ｉｎｃ．カールスバッド，ＣＡ  ＵＳＡ；およびＢｅｄｏｕｋｉａｎ  Ｒｅｓｅａｒｃｈ  Ｉｎｃ．ダンベリー，ＣＴ  ＵＳＡ。
【００３８】
上の表１〜６に列挙したそれぞれの材料の実際のＭＯＲＶ値は、以下のとおりである。
【００３９】
【表８−１】
2019123883.tif 000024
【００４０】
【表８−２】
2019123883.tif 000025
【００４１】
【表８−３】
2019123883.tif 000026
【００４２】
【表８−４】
2019123883.tif 000027
【００４３】
【表８−５】
2019123883.tif 000028
【００４４】
【表８−６】
2019123883.tif 000029
【００４５】
【表８−７】
2019123883.tif 000030
【００４６】
【表８−８】
2019123883.tif 000031
【００４７】
【表８−９】
2019123883.tif 000032
【００４８】
【表８−１０】
2019123883.tif 000033
【００４９】
【表８−１１】
2019123883.tif 000034
【００５０】
【表８−１２】
2019123883.tif 000035
【００５１】
【表８−１３】
2019123883.tif 000036
【００５２】
【表８−１４】
2019123883.tif 000037
【００５３】
空気清浄組成物および方法
空気清浄組成物であって、この組成物は、組成物全体の重量を基準として、
（ａ）総量の約０．０００１％〜約１００％、好ましくは、約０．０００１％〜約５０％、さらに好ましくは、約０．０１％〜約２５％、最も好ましくは、約０．０７％〜約１５％の１つ以上の悪臭低減材料、好ましくは、１〜約２０種類の悪臭低減材料、さらに好ましくは、１〜約１５種類の悪臭低減材料、最も好ましくは、１〜約１０種類の悪臭低減材料、前記悪臭低減材料は、それぞれ、ＭＯＲＶが少なくとも０．５、好ましくは、０．５〜１０、さらに好ましくは、１〜１０、最も好ましくは、１〜５であり、好ましくは、前記悪臭低減材料は、それぞれ、Ｕｎｉｖｅｒｓａｌ  ＭＯＲＶを有するか、または、合計重量の悪臭低減材料は、Ｂｌｏｃｋｅｒ  Ｉｎｄｅｘが３未満、さらに好ましくは、約２．５未満、さらになお好ましくは、約２未満、さらになお好ましくは、約１未満、最も好ましくは、０であり、および／または、Ｂｌｏｃｋｅｒ  Ｉｎｄｅｘの平均が３〜約０．００１である、悪臭低減材料；および
（ｂ）任意選択的に、約０．０１％〜約９０％、好ましくは、約１０％〜約９０％、さらに好ましくは、約２０％〜約８０％、最も好ましくは、約３０％〜約７０％の少なくとも１つの溶媒、好ましくは、前記溶媒は、蒸気圧が約０．０８３３Ｐａ〜約８３．３Ｐａ、好ましくは、０．８３３Ｐａ〜５６．７Ｐａ、さらに好ましくは、８．３３３Ｐａ〜４３．３Ｐａ、最も好ましくは、１１．７Ｐａ〜３０．０Ｐａ（約０．０００６２５ｔｏｒｒ〜約０．６２５ｔｏｒｒ、好ましくは、約０．００６２５ｔｏｒｒ〜約０．４２５ｔｏｒｒ、さらに好ましくは、約０．０６２５ｔｏｒｒ〜約０．３２５ｔｏｒｒ、最も好ましくは、約０．０８７５ｔｏｒｒ〜約０．２２５ｔｏｒｒ）の有機材料を含む、有機溶媒；  （ｃ）任意選択的に、補助成分
を含む、空気清浄組成物が開示される。
【００５４】
前記清浄組成物の一態様において、前記総量の悪臭低減材料は、Ｂｌｏｃｋｅｒ  Ｉｎｄｅｘが３未満、さらに好ましくは約２．５未満、さらになお好ましくは、約２未満、さらになお好ましくは、約１未満、最も好ましくは、０であり、および／またはＢｌｏｃｋｅｒ  Ｉｎｄｅｘの平均が３〜０．００１である。
【００５５】
前記清浄組成物の一態様において、前記悪臭低減材料は、それぞれ、ＭＯＲＶが少なくとも０．５、好ましくは、０．５〜１０、さらに好ましくは、１〜１０、最も好ましくは、１〜５であり、好ましくは、前記悪臭低減材料は、それぞれ、Ｕｎｉｖｅｒｓａｌ  ＭＯＲＶを有する。
【００５６】
前記清浄組成物の一態様において、前記総量の悪臭低減材料は、Ｆｒａｇｒａｎｃｅ  Ｆｉｄｅｌｉｔｙ  Ｉｎｄｅｘの平均が３〜０．００１  Ｆｒａｇｒａｎｃｅ  Ｆｉｄｅｌｉｔｙ  Ｉｎｄｅｘであり、好ましくは、前記総量の悪臭低減材料中の悪臭低減材料の総量は、Ｆｒａｇｒａｎｃｅ  Ｆｉｄｅｌｉｔｙ  Ｉｎｄｅｘが３未満、好ましくは、２未満、さらに好ましくは、１未満であり、最も好ましくは、前記総量の悪臭低減材料中の悪臭低減材料は、それぞれ、Ｆｒａｇｒａｎｃｅ  Ｆｉｄｅｌｉｔｙ  Ｉｎｄｅｘが０である。
【００５７】
前記清浄組成物の一態様において、前記清浄組成物は、前記総量の悪臭低減材料以外の１つ以上の芳香原材料を含み、前記１つ以上の芳香原材料と前記総量の悪臭低減材料の比率は、１，０００，０００：１〜１：１、好ましくは、１０，０００：１〜１：１、さらに好ましくは、２５００：１〜１：１、最も好ましくは、５：１〜１：１である。
【００５８】
前記清浄組成物の一態様において、前記清浄および／または処理組成物は、蒸気圧が１．３Ｐａ（０．０１ｔｏｒｒ）より大きく、好ましくは、１．３Ｐａ〜１３３３Ｐａ（、好ましくは、０．０１ｔｏｒｒより大きく、１０ｔｏｒｒまで）の１つ以上の悪臭低減材料を含み、好ましくは、前記１つ以上の悪臭材料は、表１の材料３；４；７；９；２１；２５；２９；３０；３１；３２；３３；３４；３５；４２；４９；５０；６２；６４；６５；６７；７０；９１；９２；９３；９８；１０１；１０２；１０３；１０８；１１０；１１４；１１７；１１９；１２２；１２３；１２６；１３０；１４２；１４５；１４６；１４９；１５５；１５９；１６７；１６８；１７０；１７８；１８６；１８９；１９０；１９２；１９３；２０８；２０９；２１０；２１８；２２８；２２９；２３１；２４３；２５４；２５６；２５９；２６７；２７４；２７８；２８０；２８１；２９０；２９４；３１７；３１８；３２２；３２５；３３３；３３８；３４２；３４４；３５８；３６２；３６４；３７５；３８６；３９４；３９７；３９８；４１５；４２１；４２４；４２８；４２９；４３６；４４１；４４４；４４５；４４９；４５３；４６１；４６６；４６８；４７１；４７３；４７４；４７５；４９１；５１９；５２０；５２４；５２７；５３０；５３１；５３２；５３４；５４４；５４６；５５１；５５５；５６５；５７８；５８０；５８１；５８４；５８６；５８７；５８９；６０３；６０４；６０６；６０９；６１１；６１２；６１４；６１５；６１８；６２１；６２７；６２８；６３１；６３２；６３３；６３９；６４９；６５９；６６８；６８３；６８６；６９２；６９３；６９６；６９８；７０２；７０８；７１１；７１４；７１５；７１７；７２０；７２５；７３０；７３８；７４２；７４８；７５０；７５２；７６３；７６６；７６７；７６８；７７０；７７４；７７８；７８１；７８６；７９１；７９２；８００；８０２；８０６；８１４；８２１；８２６；８２７；８２８；８２９；８３４；８３７；８３９；８４０；８５０；８５２；８５６；８６４；８６５；８６６；８６８；８６９；８７１；８７３；８７６；８７７；８７８；８７９；８８４；８９７；９０５；９１４；９２６；９２８；９２９；９３７；９４６；９４７；９５０；９５５；９６９；９７３；９７４；９８２；９９３；１００６；１００８；１０１０；１０１６；１０２０；１０２１；１０３１；１０３７；１０４３；１０４５；１０５３；１０５７；１０６０；１０６２；１０６４；１０６６；１０６７；１０７０；１０７２；１０７３；１０７７；１０７８；１０８２；１１０２；１１０４；１１０５；１１２０；１１２５；１１３７；１１３８；１１４４；１１４５表２の材料５６５；６３１；６５９；７１５表３の材料９；１２；１９；２０；２１；２４；２５；２７；３２；３４；５３；５５；５９；６４；６５；７０；７３；８１；８４；９６；９７；９８；１０８；１１０；１１１；１１４；１１６；１１９；１２５；１２６；１３３；１４２；１４６；１４７；１５０；１５４；１５７；１５９；１６３；１６６；１６７；１６９；１７８；１８９；１９２；１９４；１９８；２０１；２０４；２０５；２２８；２３１；２３２；２３７；２３９；２５４；２５６；２５８；２６４；２７０；２７３；２８２；２８３；２８４；２８７；２９０；３０２；３０６；３１２；３１９；３２２；３２５；３３３；３３８；３４４；３４６；３５４；３５８；３６２；３６５；３６６；３７５；３７６；３８７；４１２；４１９；４２０；４２８；４２９；４３７；４３８；４３９；４４３；４４４；４４７；４４８；４６１；４６９；４７４；４７７；４８１；４９１；４９２；４９５；４９６；５０９；５１２；５１７；５１８；５２２；５２５；５３０；５３５；５３６；５３８；５４０；５４２；５４４；５４７；５４９；５５４；５５５；５５６；５５７；５７５；５７６；５７９；５８３；５８５；５８８；５８９；６０４；６０５；６０９；６１７；６１９；６３３；６４０；６４５；６４７；６５１；６５２；６６２；６６４；６６５；６６７；６８３；６８６；６８７；６９３；６９８；６９９；７０１；７１７；７２５；７３０；７４０；７４２；７４４；７４５；７６０；７６１；７７７；７７９；７８４；７８９；７９２；７９７；８０６；８１０；８１２；８１７；８１９；８２０；８２７；８２８；８３２；８３５；８３６；８３８；８３９；８４５；８４６；８４７；８４８；８５０；８５１；８５８；８６５；８７５；８７８；８７９；８８２；８８３；８８８；８８９；８９１；８９９；９００；９０１；９０２；９０３；９０４；９０９；９１４；９３１；９３７；９４０；９４６；９４７；９５６；９７７；９８１；９８６；９８７；９９４；９９５；１００１；１００４；１００８；１０１０；１０１１；１０１７；１０１８；１０１９；１０２０；１０３０；１０３１；１０３９；１０４０；１０４１；１０５１；１０５３；１０５４；１０５５；１０５７；１０５８；１０６１；１０６２；１０６９；１０７１；１０７６；１０８１；１０８２；１０９８；１１０２；１１０４；１１０５；１１１５；１１１９；１１２０；１１２２；１１２７；１１２８；１１４１およびこれらの混合物からなる群から選択され、さらに好ましくは、前記悪臭低減材料は、表１の材料３；４；７；９；２１；２５；２９；３０；３１；３２；３３；３４；３５；４２；４９；５０；６２；６４；６５；６７；７０；９１；９２；９３；９８；１０１；１０２；１０３；１０８；１１０；１１４；１１７；１１９；１２２；１２３；１２６；１３０；１４２；１４５；１４６；１４９；１５５；１５９；１６７；１６８；１７０；１７８；１８６；１８９；１９０；１９２；１９３；２０８；２０９；２１０；２１８；２２８；２２９；２３１；２４３；２５４；２５６；２５９；２６７；２７４；２７８；２８０；２８１；２９０；２９４；３１７；３１８；３２２；３２５；３３３；３３８；３４２；３４４；３５８；３６２；３６４；３７５；３８６；３９４；３９７；３９８；４１５；４２１；４２４；４２８；４２９；４３６；４４１；４４４；４４５；４４９；４５３；４６１；４６６；４６８；４７１；４７３；４７４；４７５；４９１；５１９；５２０；５２４；５２７；５３０；５３１；５３２；５３４；５４４；５４６；５５１；５５５；５６５；５７８；５８０；５８１；５８４；５８６；５８７；５８９；６０３；６０４；６０６；６０９；６１１；６１２；６１４；６１５；６１８；６２１；６２７；６２８；６３１；６３２；６３３；６３９；６４９；６５９；６６８；６８３；６８６；６９２；６９３；６９６；６９８；７０２；７０８；７１１；７１４；７１５；７１７；７２０；７２５；７３０；７３８；７４２；７４８；７５０；７５２；７６３；７６６；７６７；７６８；７７０；７７４；７７８；７８１；７８６；７９１；７９２；８００；８０２；８０６；８１４；８２１；８２６；８２７；８２８；８２９；８３４；８３７；８３９；８４０；８５０；８５２；８５６；８６４；８６５；８６６；８６８；８６９；８７１；８７３；８７６；８７７；８７８；８７９；８８４；８９７；９０５；９１４；９２６；９２８；９２９；９３７；９４６；９４７；９５０；９５５；９６９；９７３；９７４；９８２；９９３；１００６；１００８；１０１０；１０１６；１０２０；１０２１；１０３１；１０３７；１０４３；１０４５；１０５３；１０５７；１０６０；１０６２；１０６４；１０６６；１０６７；１０７０；１０７２；１０７３；１０７７；１０７８；１０８２；１１０２；１１０４；１１０５；１１２０；１１２５；１１３７；１１３８；１１４４；１１４５表２の材料５６５；６３１；６５９；７１５からなる群から選択され、最も好ましくは、前記悪臭低減材料は、表４の材料７；２２９；２８１；４４１；６０３；６２１；６２７；６３２；６９６；７０８；７１４；７５０；１０６０；１１３７；１１４４；１１４５およびこれらの混合物からなる群から選択される。すべての上述の材料は、蒸気圧が１．３Ｐａ（０．０１ｔｏｒｒ）より大きいため、これらの材料は、洗浄組成物および／または処理組成物、これらを含む洗浄溶液および処理された場所のヘッドスペースを効果的に飽和し、洗浄組成物および／または処理組成物、これらを含む洗浄溶液および処理された場所中の悪臭の悪臭ブロッキングを引き起こす。上述の材料の中で、さらに好ましいもの、最も好ましいものは、鍵となるすべての悪臭を中和するのに効果的であるため、特に好ましい。
【００５９】
前記清浄組成物の一態様では、悪臭低減材料と前記１つ以上の芳香原材料を合わせた合計重量を基準として、１０％未満、好ましくは、５％未満、さらに好ましくは、１％未満の前記悪臭低減材料および前記１つ以上の芳香原材料は、不飽和アルデヒド部分を含む。
【００６０】
前記清浄組成物の一態様では、前記悪臭低減材料は、表１〜３の悪臭低減材料の３０２；２８８；５０；１５７；１０１７；８８８；６４；１０５４；８３２；３７５；３９０；７４５；５０４；５０５；１４０；１０１２；４９８；３６２；１０３；３５６；１０７４；９０８；１１２７；４７５；９１８；６８７；６１１；３１７；９；１４１；５５０；６０２；９１３；１００５；５２１；１０；２１５；３７０；３３５；３７８；１１２１；３６０；５６５；１１３６；１１２９；６５５；３６９；１０６５；９１４；７５７；６０１；４７８；８８９；８９１；３５８；９７３；１６２；５５４；５２２；３１２；１２５；２６；４１８；９２；５８６；１０２６；２１８；３１；８２８；８７１；８２９；１０６６；２８７；２６９；７６９；７０１；１１１８；７０；９４６；１４２；１０９；１０８またはこれらの混合物からなる群から選択されない。
【００６１】
前記清浄組成物の一態様では、悪臭低減材料と前記１つ以上の芳香原材料を合わせた合計重量を基準として、５０％未満、好ましくは、２５％未満、さらに好ましくは、１５％未満の前記悪臭低減材料および前記１つ以上の芳香原材料は、蒸気圧が、約０．０００３７５〜約４．００；さらに好ましくは、約０．００１７５〜約２．５０、さらに好ましくは、約０．００８７５〜約１．００、最も好ましくは、約０．０１７５〜約０．５０であり、好ましくは、前記組成物は水を含む。
【００６２】
前記清浄組成物の一態様では、前記清浄組成物は、増粘剤またはゲル化剤を含み、好ましくは、前記増粘剤またはゲル化剤は、
（ａ）多糖ゲル化剤、好ましくは、ゲラン、カラゲナン、寒天、アルギネートおよびこれらの混合物からなる群から選択される、多糖ゲル化剤、
（ｂ）セルロースゲル化剤、好ましくは、エチルセルロース、エチルセルロース誘導体、メチルセルロース、メチルセルロース誘導体およびこれらの混合物からなる群から選択される、セルロースゲル化剤、
（ｃ）アクリル樹脂、好ましくは、アクリル酸またはメタクリル酸の水溶性ポリマーを含む、アクリル樹脂からなる群から選択される。
【００６３】
前記清浄組成物の一態様では、前記清浄組成物は、
（ａ）水、
（ｂ）着色剤および染料、
（ｃ）溶媒および希釈剤、例えば、グリコールエーテル、アルコール、液体炭化水素、酢酸エステル、グルコン酸、アジピン酸、グルタル酸、安息香酸またはコハク酸、
（ｄ）防腐剤、好ましくは、酸化防止剤、好ましくは、以下の酸化防止剤置換フェノール；ＵＶ吸収剤、好ましくは、以下のＵＶ吸収剤、好ましくは、ベンゾフェノン、ベンゾトリアゾール、および２，２，６，６−テトラメチルピペリジンの誘導体、
（ｅ）昆虫忌避剤、
（ｆ）抗菌剤、好ましくは、四級アンモニウム化合物、アルコール、イソチオゾリノン誘導体、
（ｇ）香料およびアロマセラピー剤、
（ｈ）およびこれらの混合物からなる群から選択される補助成分を含む。
【００６４】
出願人の清浄組成物を含むデバイスが開示される。好ましくは、前記デバイスは、通電された空気清浄機および通電されていない空気清浄機からなる群から選択され、さらに好ましくは、前記デバイスは、
（ａ）芯型の空気清浄機；
（ｂ）容器型の空気清浄機；
（ｃ）多孔性膜の空気清浄機；
（ｄ）動力式空気清浄機、好ましくは、サーマルドロップオンデマンド空気清浄機、圧電空気清浄機、加熱空気清浄機、ファン空気清浄機、またはマイクロ流体デバイス空気清浄機からなる群から選択される動力式空気清浄機；および
（ｅ）スプレーデバイスからなる群から選択される。
【００６５】
悪臭を制御する方法であって、悪臭を含む場所または悪臭を発生しそうな場所と、出願人の清浄組成物からなる群から選択される組成物およびこれらの混合物とを接触させることを含む方法が開示される。好ましくは、前記場所は、空気である。
【００６６】
前記方法の一態様では、前記接触させる工程が、前記場所と、十分な量の出願人の清浄組成物とを接触させ、前記場所あたり、０．１ナノグラム（ｎｇ）〜５０００ｎｇ、好ましくは、１ｎｇ〜３，５００ｎｇ、最も好ましくは、１０ｎｇ〜１５００ｎｇの前記総量の悪臭低減材料を与えることを含む。
【００６７】
送達システム
カウンタートップ、テーブルおよび床を洗浄するために一般的に用いられるような本発明の組成物を、硬質表面洗浄剤と共に使用してもよい。適切な床洗浄液は、本譲受人によって、ＷｅｔＪｅｔの名称で交換可能な容器に入れて販売される。洗浄溶液は、特に、同一譲受人の米国特許第６，８１４，０８８号の教示に従って製造されてもよい。使い捨ての床シートと組み合わせて、容器を、床洗浄設備と共に使用し、床洗浄設備から分注されてもよい。適切なスプレー設備も、本譲受人によって、ＷｅｔＪｅｔの名称で販売される。適切な容器およびそのための備品は、同一譲受人の米国特許第６，３８６，３９２号および／または第７，１７２，０９９号の教示に従って製造されてもよい。床洗浄設備は、共有されているＵＳ  ２０１３／０３１９４６３号の教示に従って、蒸気を分注してもよい。または、再充填可能な容器を利用してもよい。
【００６８】
所望な場合、本発明の組成物を、あらかじめ湿らせたシートと共に使用してもよい。洗浄シートをあらかじめ湿らせた場合、好ましくは、目標とする表面（例えば、床）を洗浄する液体であらかじめ湿らせるが、洗浄後のすすぎ操作を必要としない。洗浄シートに、乾燥基材１グラムあたり、少なくとも１、１．５または２グラムの洗浄溶液を乗せてもよいが、典型的には、１グラムあたり５グラム以下であってもよい。同一譲受人のＵＳ  ６，７１６，８０５号の教示に従って、典型的にはすすぎ操作が存在しないため、洗浄溶液は、ストリーキングを最低限にする界面活性剤（例えば、ＡＰＧ界面活性剤）を含んでいてもよい。
【００６９】
Ｍｒ．ＣｌｅａｎおよびＭｒ．Ｐｒｏｐｅｒ．の名称で本譲受人によって販売されるような、盛り上がった固い表面のために本発明の組成物を使用してもよい。組成物を、当該技術分野でよく知られているように、トリガー噴霧器またはエアロゾル噴霧器から分注してもよい。エアロゾル噴霧器は、噴射剤の圧力を用いて組成物を分注し、一方、トリガー噴霧器は、手動での操作によって組成物を圧送することによって、組成物を分注する。適切なエアロゾル分注器は、バルブに浸漬管または袋を有していてもよく、同一譲受人のＵＳ  ２０１５／０１０８１６３号および／またはＵＳ  ２０１１／０３０３７６６号に従っていてもよい。適切なトリガー噴霧器は、同一譲受人のＵＳ  ８，３２２，６３１号に従っていてもよい。
【００７０】
補助材料
本発明の目的には必須でないが、以下に例示される補助剤の非限定的なリストは、空気清浄組成物に使用するのに適しており、例えば、混合物の相安定性を補助または向上させるために、布地への清浄組成物の移動を補助または向上させるために、例えば酸化による清浄組成物の分解を防ぐために、本発明の特定の態様に組み込まれ、さらなる利点を加えてもよく、または、香料、着色料、染料などの場合にように、組成物の審美性を変えてもよい。このような追加成分の正確な性質およびそれを組み込む濃度は、組成物の物理形態および使用される作業の性質に依存する。適切な補助材料としては、限定されないが、水、染料、増粘剤、希釈剤、防腐剤、溶媒、昆虫忌避剤、抗菌剤、香料、アロマセラピー剤または他の成分が挙げられる。
【００７１】
上述の通り、補助成分は、本出願人らの組成物には必須ではない。従って、出願人の組成物の特定の態様は、以下の補助材料の１つ以上を含まない。水、染料、増粘剤、希釈剤、防腐剤、溶媒、昆虫忌避剤、抗菌剤、香料、アロマセラピー剤または他の成分。しかしながら、１つ以上の補助剤が存在する場合、かかる１つ以上の補助剤は、以下に詳述されるように存在することができる。
【００７２】
香料
任意の既知の香料組成物を、悪臭低減組成物と組み合わせて使用してもよい。香料組成物は、合成によって、または天然に誘導される材料で構成されていてもよい。例としては、以下のものを含むことができるが、これらに限定されない：ベルガモット、橙、レモン、マンダリン、ヒメウイキョウ、ニオイヒバ（cedar leaf）、クローブリーフ、シダーウッド、ゼラニウム、ラベンダー、オレンジ、ハナハッカ、プチグレン、ヌマヒノキ、パチョリ、ネロリ、ローズアブソリュートの油、および任意の他の好適な物質。
【００７３】
揮発性材料はまた、周囲温度で気相へ昇華する能力または液体に香りを与えるのに用いられる能力を有する結晶性固体の形態が起源であってよい。任意の適切な量または形態を香料組成物と共に使用してもよい。例えば、好適な結晶性固体として：バニリン、エチルバニリン、クマリン、トナリド、カロン、ヘリオトロペン、ムスクキシロール、セドロール、ムスクケトンベンゾヘノン（musk ketone benzohenone）、ラズベリーケトン、メチルナフチルケトンβ、サリチル酸フェニルエチル、ベルトール、マルトール、メープルラクトン、プロオイゲノールアセテート、エヴェミル（登録商標）、などを含むことができるが、これらに限定されない。
【００７４】
存在する場合、香料材料は、任意の量で、例えば、組成物の合計重量の０．１〜９９．９９９９重量％、好ましくは、１０重量％〜９９重量％、または最も好ましくは２０重量％〜８０重量％存在していてもよい。
【００７５】
溶媒および希釈剤
適切な溶媒および希釈剤を使用し、香料および／または悪臭低減組成物を希釈してもよく、または、固体香料または悪臭低減材料の溶解を補助してもよい。適切な希釈剤／溶媒としては、限定されないが、水、低分子量アルコールおよびグリコール、例えば、メタノール、エタノール、イソプロパノール、ジプロピレングリコール、ジエチレングリコール、グリコールエーテル、例えば、ジプロピレングリコールメチルエーテル、トリプロピレングリコールメチルエーテル、ジプロピレングリコールメチルエーテルアセテート、プロピレングリコールｎ−ブチルエーテル、エステル（例えば、アジピン酸、安息香酸、グルコン酸、グルタル酸、コハク酸、酢酸のエステル）または任意の他の適切な溶媒が挙げられる。
【００７６】
存在する場合、溶媒および／または希釈剤は、任意の量で、例えば、組成物の合計重量の０．１〜９０重量％、または好ましくは５〜７５重量％、または最も好ましくは１０〜６０重量％存在していてもよい。
【００７７】
増粘剤
組成物の粘度を調整するために、本組成物に増粘剤を加えることが望ましい場合がある。これにより、例えば、組成物が移動デバイスから漏れるのを防ぎ、移動デバイスからの組成物の移動速度を制御し、または、組成物の外観を変えてもよい。限定されないが、セルロース増粘剤、例えば、ヒドロキシエチルセルロース、ヒドロキシプロピルメチルセルロース、エチルセルロース、ヒドロキシプロピルセルロース、ゴム、例えば、グアーゴム、キサンタンゴム、ゲランゴムおよびイナゴマメゴム、ペクチン、ゼラチン、寒天、アルギン酸系増粘剤、カラゲナン系の増粘剤、ポリビニルアルコールおよびその誘導体、アクリル酸またはメタクリル酸を組み込んだポリマー、およびこれらの誘導体、クレイ、例えば、ベントナイトおよび任意の他の適切な増粘剤、またはこれらの混合物を含め、任意の適切な増粘剤を使用してもよい。
【００７８】
存在する場合、増粘剤は、任意の量で、例えば、組成物の合計重量の０．０００１〜２０重量％、または好ましくは、０．００１〜１０重量％、または最も好ましくは０．０１〜５重量％の量で存在していてもよい。
【００７９】
任意選択的に、既知の目的のために、補助剤を清浄組成物に加えてもよい。このような補助剤としては、限定されないが、昆虫および蛾を忌避する薬剤；油溶性または水溶性の着色剤；酸化防止剤；アロマセラピー剤およびこれらの混合物が挙げられる。
【００８０】
清浄組成物は、本発明の悪臭低減組成物に加え、他の悪臭低減技術を含んでいてもよい。限定されないが、アミン官能性ポリマー、金属イオン、シクロデキストリン、シクロデキストリン誘導体、ポリオール、酸化剤、活性炭、反応性アルデヒド、イオノン、およびこれらの組み合わせが挙げられる。
【００８１】
空気および布地を清浄する移動形態
本発明の組成物を、大気または不活性表面（例えば、布地清浄剤としての布地表面）に揮発性物質を運ぶためのデバイスに使用してもよい。このようなデバイスを、種々の様式で構築してもよい。
【００８２】
例えば、このデバイスは、通電された空気清浄機（すなわち、電気、または化学反応によって動く。例えば、触媒燃料系、または太陽電池によって動くなど）として使用するように構成されていてもよい。例示的な通電された空気清浄デバイスとしては、加熱要素、圧電要素、サーマルインクジェット要素、ファンアセンブリなどを含んでいてもよい電力移動補助手段が挙げられる。さらに特定的には、デバイスは、米国特許第７，２２３，３６１号に記載される電源プラグ型の空気清浄機；加熱要素および／またはファン要素を備える電池（再充電可能な電池）によって働く空気清浄機であってもよい。通電されたデバイスにおいて、揮発性材料移動エンジンを、揮発性芳香材料を核酸するための電力移動補助手段の近くに配置してもよい。移動補助手段を最適に拡散するために、揮発性芳香材料を配合してもよい。
【００８３】
通電されていない空気清浄機として使用するために、デバイスを構成してもよい。例示的な通電されていない空気清浄機は、材料を揮発させ、受動的に（すなわち、通電手段を備えていない）空気に拡散するのを補助するような容器、および任意選択的に、毛細管手段または吸い取り手段、または発散する表面を含む。さらに具体的な例としては、米国特許第８，７０９，３３７号および第８，９３１，７１１号に開示されるように、揮発性材料を入れるための液体容器を備える移動エンジン、液体容器を閉じ込めるための多孔性膜が挙げられる。
【００８４】
デバイスは、従来のトリガー噴霧器および事前の圧縮および／または中の流体のためのバッファー系を有するトリガー噴霧器を含め、エアロゾル−噴霧器またはノナエアロゾル噴霧器として使用するように構成されてもよい。この実施形態では、送達エンジンは、ユーザーの要望時に、または自動的に大気に揮発性材料を送達するプログラムによって、揮発性材料を送達することができる。
【００８５】
装置はまた、精製された空気および揮発性材料の両方を大気に送達するために、空気浄化システムと共に使用するために構成されてもよい。非限定的な例には、小さな空間（例えば、寝室、バスルーム、自動車等）、および家全体の集中空調／暖房（例えばＨＶＡＣ）における使用のために、イオン化および／または濾過技術を使用する空気浄化システムが挙げられる。
【００８６】
試験方法
混合物、限定されないが、最終製品（例えば、消費成否に）から悪臭低減材料を分離し、ＧＣ−ＭＳおよび／またはＮＭＲを含む分析方法によって同定してもよい。
【００８７】
飽和蒸気圧（ＶＰ）を決定するための試験方法
試験する芳香混合物中の各ＰＲＭについて、飽和蒸気圧（ＶＰ）値を計算する。個々のＰＲＭのＶＰは、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂｓ）（トロント、カナダ）から入手可能なＶＰ  Ｃｏｍｐｕｔａｔｉｏｎａｌ  Ｍｏｄｅｌ、バージョン１４．０２（Ｌｉｎｕｘ）を用いて計算され、ｔｏｒｒの単位で表される２５℃でのＶＰ値を与える。ＡＣＤ／実験室の蒸気圧モデルは、ＡＣＤ／実験室モデルの装置の一部である。
【００８８】
オクタノール／水分配係数の対数（ｌｏｇＰ）を決定するための試験方法
試験する芳香混合物中の各ＰＲＭについて、オクタノール／水の分配係数のｌｏｇ値（ｌｏｇＰ）を計算する。個々のＰＲＭのｌｏｇＰ値は、Ａｄｖａｎｃｅｄ  Ｃｈｅｍｉｓｔｒｙ  Ｄｅｖｅｌｏｐｍｅｎｔ  Ｉｎｃ．（ＡＣＤ／Ｌａｂ）（トロント、カナダ）から入手可能なＣｏｎｓｅｎｓｕｓ  ｌｏｇＰ  Ｃｏｍｐｕｔａｔｉｏｎａｌ  Ｍｏｄｅｌ、バージョン１４．０２（Ｌｉｎｕｘ）を用いて計算され、無単位のｌｏｇＰ値が得られる。ＡＣＤ／ＬａｂのＣｏｎｓｅｎｓｕｓ  ｌｏｇＰ  Ｃｏｍｐｕｔａｔｉｏｎａｌ  Ｍｏｄｅｌは、ＡＣＤ／実験室モデルの装置の一部である。
【００８９】
分子記述子の作成のための試験方法
本明細書に記載するコンピュータによる値試験方法に関与する計算を行うために、必要な最初の情報は、試験する芳香中の各ＰＲＭの属性、芳香の割合としての重量％、モル％を含み、芳香組成物中のすべてのＰＲＭが計算に含まれる。さらに、これらのＰＲＭそれぞれについて、本明細書に記載する分子記述子の作成のための試験方法に従って決定されるように、分子構造、種々のコンピュータによって誘導される分子記述子の値も必要である。
【００９０】
芳香混合物または組成物中の各ＰＲＭについて、その分子構造を使用し、種々の分子記述子を計算する。分子構造は、Ａｍｅｒｉｃａｎ  Ｃｈｅｍｉｃａｌ  Ｓｏｃｉｅｔｙ（コロンブス、オハイオ、米国）の一部門であるＣｈｅｍｉｃａｌ  Ａｂｓｔｒａｃｔ  Ｓｅｒｖｉｃｅ（「ＣＡＳ」）によって与えられるグラフィック分子構造図によって決定される。これらの分子構造は、各ＰＲＭのインデックス名またはＣＡＳ番号を探すことによって、ＣＡＳ  Ｃｈｅｍｉｃａｌ  Ｒｅｇｉｓｔｒｙ  Ｓｙｓｔｅｍデータベースから得てもよい。ＰＲＭについて、その試験がＣＡＳ  Ｃｈｅｍｉｃａｌ  Ｒｅｇｉｓｔｒｙ  Ｓｙｓｔｅｍデータベースにまだ列挙されていない場合には、他のデータベースまたは情報源を使用し、その構造を決定してもよい。潜在的に１つより多い異性体が存在するＰＲＭの場合、分子記述子の計算は、ＰＲＭを表すように選択される異性体の１つの分子構造を用いて行われる。異性体の選択は、異性体の分子構造の相対的な伸長量によって決定される。この異性体は、所与のＰＲＭのすべての異性体の中で、ＰＲＭを表すために選択される最も関係がある異性体である。ＰＲＭの他の潜在的な異性体の構造は、この計算から除外される。最も関係がある異性体の分子構造を、ＰＲＭの濃度と組み合わせ、この濃度は、存在するＰＲＭのすべての異性体の存在を反映している。
【００９１】
分子エディターまたは分子スケッチングソフトウエアプログラム、例えば、ＣｈｅｍＤｒａｗ（ＣａｍｂｒｉｄｇｅＳｏｆｔ／ＰｅｒｋｉｎＥｌｍｅｒ  Ｉｎｃ．，Ｗａｌｔｈａｍ，Ｍａｓｓａｃｈｕｓｅｔｔｓ，Ｕ．Ｓ．Ａ．）を使用し、各ＰＲＭを表す二次元分子構造を複製する。分子構造は、接続していないフラグメント（例えば、対イオンを含まない単一構造）を有する中性種として表されるべきである（四級窒素原子は許容される）。以下に記載するｗｉｎＭｏｌｃｏｎｎプログラムは、適切な数の水素原子を加えることによって、脱プロトン化された官能基を中性形態に変換することができ、対イオンを捨てるだろう。
【００９２】
各ＰＲＭの場合、分子スケッチングソフトウエアを使用し、ＰＲＭの分子構造を記述するファイルを作成する。その後、各ＰＲＭの種々の分子記述子を誘導するために、ＰＲＭの分子構造を記述するファイルは、コンピュータソフトウエアプログラムｗｉｎＭｏｌｃｏｎｎ、バージョン１．０．１．３（Ｈａｌｌ  Ａｓｓｏｃｉａｔｅｓ  Ｃｏｎｓｕｌｔｉｎｇ，Ｑｕｉｎｃｙ，Ｍａｓｓａｃｈｕｓｅｔｔｓ，Ｕ．Ｓ．Ａ．、ｗｗｗ．ｍｏｌｃｏｎｎ．ｃｏｍ）に伝達される。このように、ｗｉｎＭｏｌｃｏｎｎソフトウエアプログラムは、許容範囲の選択しである構造の記述方法とファイルフォーマットを示す。これらの選択肢としては、ＭＡＣＣＳ  ＳＤＦフォーマット化されたファイル（すなわち、Ｓｔｒｕｃｔｕｒｅ−Ｄａｔａ  Ｆｉｌｅ）；またはＳｉｍｐｌｉｆｉｅｄ  Ｍｏｌｅｃｕｌａｒ  Ｉｎｐｕｔ  Ｌｉｎｅ  Ｅｎｔｒｙ  Ｓｐｅｃｉｆｉｃａｔｉｏｎ（すなわち、ＳＭＩＬＥＳストリング構造ラインの記述法）のいずれかが挙げられ、単純なテキストファイルに、「．ｓｍｉ」または「．ｔｘｔ」の拡張子と共に一般的に使用される。ＳＤＦファイルは、マルチラインレコードのフォーマットでそれぞれの分子構造を表し、一方、ＳＭＩＬＥＳ構造のためのｓｙｎｔａｘは、白いスペースが存在しない単一のテキスト列である。ＳＭＩＬＥＳストリングの後の同じ列に構造名または識別子を加え、空間によって分割することによって、ＳＭＩＬＥＳストリングに構造名または識別子を加えてもよい（例えば、Ｃ１＝ＣＣ＝ＣＣ＝Ｃ１ベンゼン）。
【００９３】
ｗｉｎＭｏｌｃｏｎｎソフトウエアプログラムを使用し、各ＰＲＭについて多くの分子記述子を作成し、次いで、これを表のフォーマットで出力する。その後、ｗｉｎＭｏｌｃｏｎｎによって誘導される具体的な分子識別子を、各ＰＲＭについて、飽和蒸気圧（ＶＰ）；沸点（ＢＰ）；オクタノール／水分配係数の対数（ｌｏｇＰ）；臭気検出閾値（ＯＤＴ）；悪臭低減値（ＭＯＲＶ）；および／または普遍的な悪臭低減値（Ｕｎｉｖｅｒｓａｌ  ＭＯＲＶ）のような値を計算するために、種々のコンピュータモデル試験方法のために入力として（すなわち、数式の変数項として）使用する。このモデルの試験法の計算に使用される分子記述子のラベルは、ｗｉｎＭｏｌｃｏｎｎプログラムによって報告されるのと同じラベルであり、その記載および定義は、ｗｉｎＭｏｌｃｏｎｎの書籍に列挙されるだろう。以下は、ｗｉｎＭｏｌｃｏｎｎソフトウエアプログラムをどのように実行し、組成物中の各ＰＲＭの必要な分子構造記述子を作成するのかについての一般的な記載である。
【００９４】
ｗｉｎＭｏｌｃｏｎｎを用いた分子構造記述子の計算。
（１）ＭＡＣＣＳ  Ｓｔｒｕｃｔｕｒｅ−Ｄａｔａ  Ｆｉｌｅ（ＳＤＦファイルまたはＳＭＩＬＥＳファイルとも呼ばれる）の形態で、１つ以上の芳香成分の分子構造をアセンブリングする。
（２）バージョン１．０．１．３のｗｉｎＭｏｌｃｏｎｎプログラムを用い、適切なコンピュータで実施し、上述のＳＤＦファイルまたはＳＭＩＬＥＳファイルを入力として用い、このプログラムから入手可能な分子記述子全体を計算する。
ａ．ｗｉｎＭｏｌｃｏｎｎの出力は、ＡＳＣＩＩテキストファイルの形態であり、典型的には、スペース区切りされており、入力ファイルのそれぞれの構造について、第１の列に構造識別子を含み、残りの列にそれぞれの分子記述子を含んでいる。
（３）スプレッドシートソフトウエアプログラムまたはある種の他の適切な技術を用い、テキストファイルを列に分ける。分子記述子のラベルは、得られた表の第１列にみつかる。
（４）分子記述子のラベルによって特定され、それぞれのモデルに必要な入力に対応する記述子の列を発見し、抽出する。
ａ．ｗｉｎＭｏｌｃｏｎｎ分子記述子のラベルは、ケースセンシティブであることを注記しておく。
【００９５】
ＭＯＲＶおよびＵｎｉｖｅｒｓａｌ  ＭＯＲＶの計算
１．）入力分子記述子の値は、以下の４つの式において、上の方法によって決定されるような値である。
（ａ）ＭＯＲＶ＝−８．５０９６＋２．８５９７×（ｄｘｐ９）＋１．１２５３×（ｋｎｏｔｐｖ）−０．３４４８４×（ｅ１Ｃ２Ｏ２）−０．０００４６２３１×（ｉｄｗ）＋３．３５０９×（ｉｄｃｂａｒ）＋０．１１１５８×（ｎ２ｐａｇ２２）
（ｂ）ＭＯＲＶ＝−５．２９１７＋２．１７４１×（ｄｘｖｐ５）−２．６５９５×（ｄｘｖｐ８）＋０．４５２９７×（ｅ１Ｃ２Ｃ２ｄ）−０．６２０２×（ｃ１Ｃ２Ｏ２）＋１．３５４２×（ＣｄＣＨ２）＋０．６８１０５×（ＣａａｓＣ）＋１．７１２９×（ｉｄｃｂａｒ）
（ｃ）ＭＯＲＶ＝−０．００３５＋０．８０２８×（ＳＨＣｓａｔｕ）＋２．１６７３×（ｘｖｐ７）−１．３５０７×（ｃ１Ｃ１Ｃ３ｄ）＋０．６１４９６×（ｃ１Ｃ１Ｏ２）＋０．００４０３×（ｉｄｃ）−０．２３２８６×（ｎｄ２）
（ｄ）ＭＯＲＶ＝−０．９９２６−０．０３８８２×（ＳｄＯ）＋０．１８６９×（Ｓｓｐ３ＯＨ）＋２．１８４７×（ｘｐ７）＋０．３４３４４×（ｅ１Ｃ３Ｏ２）−０．４５７６７×（ｃ１Ｃ２Ｃ３）＋０．７６８４×（ＣＫｅｔｏｎｅ）
式（ａ）は、悪臭であるトランス−３−メチル−２−ヘキセン酸（カルボン酸系の悪臭）を減らすことにおける材料の有効性に関係する。
式（ｂ）は、悪臭であるトリメチルアミン（アミン系の悪臭）を減らすことにおける材料の有効性に関係する。
式（ｃ）は、悪臭である３−メルカプト−３−メチルヘキサン−１−オール（チオール系の悪臭）を減らすことにおける材料の有効性に関係する。
式（ｄ）は、悪臭であるスカトール（インドール系の悪臭）を減らすことにおける材料の有効性に関係する。
２．）本明細書の目的のために、材料のＭＯＲＶは、式（１）（ａ）〜（１）（ｄ）からの最も高いＭＯＲＶ値である。
３．）上の式（１）（ａ）〜（１）（ｄ）からのすべてのＭＯＲＶ値が０．５より大きい場合、その材料は、Ｕｎｉｖｅｒｓａｌ  ＭＯＲＶを有する。
【００９６】
悪臭低減化合物にＦｒａｇｒａｎｃｅ  Ｆｉｄｅｌｉｔｙ  Ｉｎｄｅｘ（ＦＦＩ）およびＢｌｏｃｋｅｒ  Ｉｎｄｅｘ（ＢＩ）を割り当てるための方法
本発明の消費製品で使用するのに適したブロッカー材料は、香りの検知を妨害せずに悪臭を減らすという能力について選択される。材料の選択は、臭気の強さをランク付けするための２つの参照スケールから試験サンプル材料に２つの指数を割り当てることによって行われる。この２つの参照スケールは、Ｆｒａｇｒａｎｃｅ  Ｆｉｄｅｌｉｔｙ  Ｉｎｄｅｘ（ＦＦＩ）スケールとＢｌｏｃｋｅｒ  Ｉｎｄｅｘ（ＢＩ）スケールである。ＦＦＩは、試験サンプル材料が、別の香料と合わせたときに緩衝し得る検知可能な臭気を付与する能力をランク分けしており、ＢＩは、試験サンプル材料が悪臭の検知を減らす能力をランク分けしている。ＦＦＩおよびＢＩの参照スケールについて、試験サンプルに指数を割り当てるための２つの方法を以下に与える。
【００９７】
試験サンプルにＦＦＩを割り当てるための方法
ＦＦＩ参照スケールについて、試験サンプルにＦＦＩを割り当てるための方法の第１の工程は、ＦＦＩ参照見本を作成することである。このスケールのための見本は、きれいな布地見本を既知の量の既知の濃度のエチルバニリン溶液で処理することによって作られる。この試験のための布地見本は、ＥＭＣからＰＣ５０／５０として注文される白いポリコットン編み地（１０センチメートル×１０センチメートル（４インチ×４インチ））の見本である。供給業者は、最初に見本を作成ように指示され、この作成は、香料を含まない潜在で２回洗浄し、３回すすぐことを含む。
【００９８】
ＦＦＩ参照見本の製造
５０％／５０％  ＥｔＯＨ／水を、２５ｐｐｍ、１２０ｐｐｍ、１０００ｐｐｍの濃度で希釈剤として用い、エチルバニリンの３種類の溶液を製造する。３種類の溶液１３μＬをそれぞれピペットできれいな見本の中央に置き、見本の中央部に直径約１ｃｍの溶液を得た。これにより、見本にピペットで置かれた溶液の濃度に基づき、３種類の異なる臭気レベルの官能スケールを作成する。換気フードの中で３０分間乾燥させた後、見本をアルミホイル箔で包み、処理した見本に臭気が混入するのを防ぐ。きれいな未処理の見本も、ＦＦＩスケールの臭気強度について、最も低い参照固定点として含まれる。ＦＦＩ参照スケール見本は、０．５〜１２時間以内に使用し、１２時間後には廃棄すべきである。グレーダーが試験サンプルを評価するとき、見本をスケール固定点として使用し、表７に示されるようなＦｒａｇｒａｎｃｅ  Ｆｉｄｅｌｉｔｙ  Ｉｎｄｅｘ（ＦＦＩ）を割り当てる。
【００９９】
少なくとも４の香気判定者／専門的なグレーダーを使用し、ＦＦＩスケールにおいて、エチルバニリン見本をランク分けする。香気判定者／専門的なグレーダーは、スケールに対する十分な識別能力を示すことが必要である。香気判定者／専門的なグレーダーは、０〜３のスケールに従って、見本をランク分けする。表７に示されるように、パネルは、見本間に統計的な差を示さなければならない。
【０１００】
【表９】
2019123883.tif 000038
【０１０１】
専門的なグレーダーは、４つの見本のうち、２．５の全範囲で、許容範囲で識別しなければならない。表１のグレーダー２は、わずか２の範囲しかないため、パネルから除外する。専門的なグレーダーのパネルは、スケールの中で見本を統計学的に識別する能力も示さなければならない。
【０１０２】
【表１０】
2019123883.tif 000039
【０１０３】
参照見本は、ＦＦＩ参照スケールについて、０、１、２および３のＦＦＩを表す（表９）。専門的なグレーダーは、それぞれ、０（最も低い臭気強度）から開始し、３（最も高い臭気強度）で終わるように臭いをかぐことによって、ＦＦＩ参照見本の臭気の強度を自分で習得すべきである。試験サンプル材料によって見本が処理される前に、この作業を行うべきである。
【０１０４】
【表１１】
2019123883.tif 000040
【０１０５】
試験材料で処理された見本の製造
きれいな見本を１３μＬの既知の濃度の試験サンプル材料で処理し、きれいな見本の上に約１ｃｍの溶液を得る。参照見本と同様に、試験サンプル材料見本を換気フードの中で３０分間乾燥させ、次いで、汚染を防ぐためにアルミニウム箔で包む。試験材料見本およびＦＦＩ参照見本は、互いに２時間以内に製造すべきである。試験材料見本は、０．５〜１２時間以内に使用し、１２時間後には廃棄しなければならない。
【０１０６】
試験材料へのＦＦＩの割り当て
少なくとも２の香気判定者／専門的なグレーダーを用い、試験サンプルにＦＦＩグレードを割り当てる。香気判定者／専門的なグレーダーは、見本を、鼻の中央部を覆うように鼻から２．５センチメートル（１インチ）の位置に保持し、試験サンプルを布地の上にピペットで置くことによって試験サンプル見本の臭いをかぎ、次いで、ＦＦＩ参照スケール固定見本を参照として使用し、試験サンプルにＦＦＩグレードを割り当てる。試験サンプル見本に、表９に示されるＦＦＩスケールについて、ＦＦＩグレードまたはいくつかの数を割り当てる。試験サンプル材料が、３より大きなグレードに割り当てられる場合、その試験材料は、ブロッカー材料ではなく、または、低い濃度で悪臭ブロッカー機能を有するかどうかを決定するために、材料濃度を下げ、再評価する必要がある。
【０１０７】
試験サンプルにＢＩを割り当てるための方法
ＢＩ参照スケールについて、試験サンプルにＢＩを割り当てるための方法の第１の工程は、ＢＩ参照見本を作成することである。このスケールのための見本は、きれいな布地見本を既知の量の既知の濃度のイソ吉草酸溶液で処理することによって作られる。この試験のための布地見本は、ＥＭＣからＰＣ  ５０／５０として注文される白いポリコットン編み地（１０センチメートル×１０センチメートル（４インチ×４インチ））の見本である。供給業者は、最初に見本を作成ように指示され、この作成は、香料を含まない潜在で２回洗浄し、３回すすぐことを含む。
【０１０８】
ＢＩ参照見本の製造
５０％／５０％のＥｔＯＨ／水を希釈剤として用い、０．０８％イソ吉草酸の１種類の溶液を製造する。ＢＩスケールは、悪臭を適用していない１つのきれいな見本を含む。３種類の他の見本は、それぞれ、異なる体積の０．０８％イソ吉草酸が適用される。１つのきれいな見本には、２μＬの０．０８％イソ吉草酸溶液をピペットで置き、次の見本には５μＬの０．０８％イソ吉草酸溶液をピペットで置き、最後のきれいな見本には、２０μＬのイソ吉草酸をピペットで置く。これらの溶液は、見本の中央部にピペットで置かれる。これにより、見本にピペットで置かれた０．０８％イソ吉草酸溶液の体積に基づき、３種類の異なる臭気レベルの官能スケールを作成する。換気フードの中で３０分間乾燥させた後、見本をアルミホイル箔で包み、処理した見本に臭気が混入するのを防ぐ。きれいな未処理の見本も、ＢＩスケールの臭気強度について、最も低い参照固定点として含まれる。ＢＩ参照スケール見本は、０．５〜１２時間以内に使用し、１２時間後には廃棄すべきである。グレーダーが試験サンプルを評価するとき、見本をスケール固定点として使用し、表１２に示されるようなＢｌｏｃｋｅｒ  Ｉｎｄｅｘ（ＢＩ）を割り当てる。
【０１０９】
少なくとも４の香気判定者／専門的なグレーダーを使用し、ＢＩスケールにおいて、イソ吉草酸見本をランク分けする。香気判定者／専門的なグレーダーは、スケールに対する十分な識別能力を示すことが必要である。香気判定者／専門的なグレーダーは、０〜３のスケールに従って、見本をランク分けする。表１０に示されるように、グレーダーのパネルは、見本間に統計的な差を示さなければならない。
【０１１０】
【表１２】
2019123883.tif 000041
【０１１１】
専門的なグレーダーは、４つの見本のうち、２．５の全範囲で、許容範囲で識別しなければならない。専門的なグレーダーのパネルは、スケールの中で見本を統計学的に識別する能力も示さなければならない。専門的なグレーダー２は、見本間を識別する能力を示さず、パネルから除外される（表１１を参照）。
【０１１２】
【表１３】
2019123883.tif 000042
【０１１３】
参照見本は、ＢＩ参照スケールについて、０、１、２および３のＢＩを表す（表１２）。専門的なグレーダーは、それぞれ、０（最も低い臭気強度）から開始し、３（最も高い臭気強度）で終わるように臭いをかぐことによって、ＢＩ参照見本の臭気の強度を自分で習得すべきである。このことは、試験材料で見本が処理される前に行われるべきである。
【０１１４】
【表１４】
2019123883.tif 000043
【０１１５】
悪臭見本を製造し、試験材料で処理
ＢＩを評価するために、試験材料を悪臭のする見本に適用し、試験材料の悪臭をどのようにブロックするかを決定する。悪臭のついた見本は、きれいな見本を２０μＬの０．０８％イソ吉草酸溶液で処理することによって作られる。イソ吉草酸で処理された悪臭のついた見本を換気フード中、３０分間乾燥させる。悪臭のついた見本を乾燥させた後、既知の濃度の試験材料溶液（１ｐｐｍ〜１００ｐｐｍ）を、悪臭のついた見本にピペットで置く。試験材料溶液を、イソ吉草酸溶液を適用し、直径約１ｃｍのスポットを作った場所の上から試験材料溶液を適用する。ＢＩ参照見本と同様に、イソ吉草酸＋試験材料見本を換気フードの中で３０分間乾燥させ、次いで、汚染を防ぐためにアルミニウム箔で包む。イソ吉草酸＋試験材料の見本およびＢＩ参照見本は、互いに２時間以内に製造すべきである。イソ吉草酸＋試験材料見本は、参照見本と同様に１〜１２時間で塩得しなければならない。ＢＩを決定するために、時には、試験材料を約１〜約１００ｐｐｍのいくつかのレベルで評価する必要がある。
【０１１６】
試験材料へのＢＩの割り当て
少なくとも２の香気判定者／専門的なグレーダーを用い、試験サンプルにＢＩグレードを割り当てる。専門的なグレーダーは、見本を、鼻の中央部を覆うように鼻から２．５センチメートル（１インチ）の位置に保持し、試験サンプルを布地の上にピペットで置くことによってイソ吉草酸／試験材料見本の臭いをかぎ、次いで、ＢＩ参照スケール固定見本を参照として使用し、イソ吉草酸／試験材料見本にＢＩグレードを割り当てる。試験サンプル見本に、表のＢＩスケールについて、ＢＩグレードまたはいくつかの数を割り当てる。イソ吉草酸＋試験材料見本の周囲がＢＩ参照スケールで３より大きい場合には、この材料がブロッカーではなく、ブロッカー機能を達成スルために、試験材料の濃度を下げる必要があることを示す。
【０１１７】
【表１５】
2019123883.tif 000044
【０１１８】
低い濃度で優れた性能を有する悪臭制御化合物
悪臭制御化合物が、低い濃度で優れた悪臭制御を与えるという好ましい挙動の非限定例を以下にいくつか示す。これらの非限定的なデータは、悪臭がブロックされ、マスキングされているのではないさらなる匹敵するデータを与える。
【０１１９】
【表１６】
2019123883.tif 000045
【０１２０】
低い濃度での悪臭低減化合物の再試験
以下の実施例は、悪臭制御化合物が高濃度で臭気ブロッキング（ＢＩ＞２．５）を示すことができなかった場合に、もっと低い濃度で合格するかどうかを再試験すべきであることを示す。
【０１２１】
【表１７】
2019123883.tif 000046
【０１２２】
実施例１  悪臭低減化合物を含む組成物
本発明において、嗅覚によって気づくことができるようになる前に、ブレンドは、もっと割合が高い生成物の組成物で有用であるため、ブレンドは、もっと強力な悪臭低減を可能にする。以下は、悪臭低減化合物の非限定例である。
【０１２３】
【表１８】
2019123883.tif 000047
【０１２４】
実施例２  悪臭低減化合物を含む組成物
【０１２５】
【表１９】
2019123883.tif 000048
【０１２６】
実施例３  悪臭低減組成物
【０１２７】
【表２０】
2019123883.tif 000049
【０１２８】
実施例４  悪臭低減組成物
【０１２９】
【表２１】
2019123883.tif 000050
【０１３０】
【表２２】
2019123883.tif 000051
【０１３１】
【表２３−１】
2019123883.tif 000052
【０１３２】
【表２３−２】
2019123883.tif 000053
【０１３３】
【表２４】
2019123883.tif 000054
【０１３４】
【表２５】
2019123883.tif 000055
【０１３５】
【表２６】
2019123883.tif 000056
【０１３６】
実施例５．１〜５．６悪臭低減組成物
以下の悪臭低減悪臭低減組成物を、列挙した成分を合わせることによって製造する。すべての成分は、全悪臭低減組成物の重量パーセントである。
【０１３７】
【表２７】
2019123883.tif 000057
【０１３８】
実施例４Ａ〜４Ｆおよび５．１〜５．６の悪臭低減組成物を、それぞれ、約１％〜約１００％のレベルで空気清浄デバイス中の要素として使用する。次いで、消費者製品が、空気を処理するための空気ケアデバイスで、および／または布地および／または硬質表面を処理するための処理組成物として使用される。
【０１３９】
本明細書で開示する寸法および値は、列挙された正確な数値に厳密に限られるとして理解されるべきではない。むしろ、特に断らない限り、そのような各寸法は、記載された値およびその値の周辺の機能的に同等の範囲の両方を意味するものとする。例えば、「４０ｍｍ」として開示される寸法は、「約４０ｍｍ」を意味することを意図する。
【０１４０】
あらゆる相互参照または関連特許、または関連出願を含む、本明細書に引用される全ての文献は、明確に除外ないしは別の方法で限定されない限り、参照によりその全体が本明細書に組み込まれる。いずれの文献の引用も、その文献が本願で開示または特許請求される全ての発明に対する先行技術であることを認めるものではなく、またはその文献が単独で、あるいは任意のその他の参照文献との任意の組み合わせにおいて、かかる発明のいずれかを参照、教示、示唆または開示することを認めるものでもない。さらに、本文書における用語の任意の意味または定義が、参照することによって組み込まれた文書内の同じ用語の意味または定義と競合する程度に、本文書におけるその用語に与えられた意味または定義が適用されるものとする。
【０１４１】
以上、本発明の特定の諸実施形態を図示、説明したが、本発明の趣旨および範囲から逸脱することなく他の様々な変更および改変を行いうる点は当業者には自明であろう。従って、本発明の範囲内にあるそのような全ての変更および修正が、添付の特許請求の範囲に網羅されるものとする。
【外国語明細書】
2019123883000001.pdf